(57)【要約】【課題】時分割２重通信（ＴＤＤ）で動作する無線通信システムにおいて、複数のサービス提供セルが設定された端末のＡＣＫ／ＮＡＣＫを送信する方法及び装置を提供する。【解決手段】本発明の方法は、複数のサービス提供セルを介して複数の符号語を受信するステップ（Ｓ１００）と、複数の符号語の各々に対する受信確認を示すＡＣＫ／ＮＡＣＫ情報を生成するステップ（Ｓ２００）と、生成されたＡＣＫ／ＮＡＣＫ情報をバンドルするステップ（Ｓ２００）と、バンドルされたＡＣＫ／ＮＡＣＫ情報を送信するステップ（Ｓ５００）と、を含み、バンドルするステップは、生成されたＡＣＫ／ＮＡＣＫ情報の一部又は全部を予め決められた送信量以下になるまで順次バンドルする（Ｓ３００、Ｓ４００）ことを特徴とする。【選択図】図２０
2013542638.tif 000002
【特許請求の範囲】
【請求項１】
時分割２重通信（ＴＤＤ）で動作する無線通信システムにおいて、複数のサービス提供セルが設定された端末の肯定応答（ＡＣＫ）／否定応答（ＮＡＣＫ）を送信する方法であって、
複数のサービス提供セルを介して複数の符号語を受信するステップと、
前記複数の符号語の各々に対する受信確認を示すＡＣＫ／ＮＡＣＫ情報を生成するステップと、
前記生成されたＡＣＫ／ＮＡＣＫ情報をバンドルするステップと、
前記バンドルされたＡＣＫ／ＮＡＣＫ情報を送信するステップと、を有し、
前記バンドルするステップは、前記生成されたＡＣＫ／ＮＡＣＫ情報の一部又は全部を、予め決められた送信量以下になるまで順次バンドルする、方法。
【請求項２】
前記複数のサービス提供セルは、搬送波指示フィールド値によって区分され、
前記バンドルするステップは、前記複数のサービス提供セルのうち、搬送波指示フィールド値が最も大きいサービス提供セルから、同じダウンリンクサブフレーム内で受信した複数の符号語に対するＡＣＫ／ＮＡＣＫ情報をバンドルする、請求項１に記載の方法。
【請求項３】
前記複数のサービス提供セルのうち、搬送波指示フィールド値が最も小さいサービス提供セルは、１次セルである、請求項２に記載の方法。
【請求項４】
前記１次セルに対して最後にバンドルが実行される、請求項３に記載の方法。
【請求項５】
前記バンドルするステップは、前記複数のサービス提供セルのうち少なくとも一つのサービス提供セルに対し、同じダウンリンクサブフレーム内で、複数の符号語の全部を成功裏に受信した場合にはＡＣＫでバンドルし、その以外の場合にはＮＡＣＫでバンドルする、請求項１に記載の方法。
【請求項６】
前記バンドルされたＡＣＫ／ＮＡＣＫ情報は、物理アップリンク制御チャネル（ＰＵＣＣＨ）リソース選択に基づくチャネル選択方式、又はＰＵＣＣＨフォーマット３を利用する方式のうちいずれか一つを利用して送信される、請求項１に記載の方法。
【請求項７】
時分割２重通信（ＴＤＤ）で動作する無線通信システムにおいて、複数のサービス提供セルが設定された端末の肯定応答（ＡＣＫ）／否定応答（ＮＡＣＫ）を送信する方法であって、
第１のサービス提供セルを介して少なくとも一つの符号語を受信するステップと、
第２のサービス提供セルを介して少なくとも一つの符号語を受信するステップと、
前記第１のサービス提供セル及び前記第２のサービス提供セルを介して受信した符号語に対するＡＣＫ／ＮＡＣＫを送信するステップと、を有し、
前記第１のサービス提供セル及び前記第２のサービス提供セルは、符号語を受信するダウンリンクサブフレームと、前記ダウンリンクサブフレームに対応してＡＣＫ／ＮＡＣＫを送信するアップリンクサブフレームとがＭ：１（Ｍは、自然数）の関係を有し、
前記Ｍが１の場合には同じサブフレーム内で受信した複数の符号語に対するＡＣＫ／ＮＡＣＫを全部送信し、
前記Ｍが１より大きい場合には同じサブフレーム内で受信した複数の符号語に対するＡＣＫ／ＮＡＣＫをバンドルして送信する、方法。
【請求項８】
前記第１のサービス提供セルは、１次セルである、請求項７に記載の方法。
【請求項９】
前記１次セルを介して、前記第１のサービス提供セルを介して受信する符号語をスケジュールする第１の物理アップリンク制御チャネル（ＰＤＣＣＨ）及び前記第２のサービス提供セルを介して受信する符号語をスケジュールする第２のＰＤＣＣＨを受信する、請求項８に記載の方法。
【請求項１０】
前記第１のＰＤＣＣＨを受信する無線リソース及び前記第２のＰＤＣＣＨを受信する無線リソースに基づいて、前記第１のサービス提供セル及び前記第２のサービス提供セルを介して受信した符号語に対するＡＣＫ／ＮＡＣＫを送信することができる複数の無線リソースが割り当てられる、請求項９に記載の方法。
【発明の詳細な説明】
【技術分野】
【０００１】
本発明は、無線通信に関し、より詳しくは、時分割２重通信（ＴＤＤ）で動作する無線通信システムにおいて、端末が複数の受信確認情報を送信する方法及び装置に関する。
【背景技術】
【０００２】
無線通信システムにおける限定された無線リソースの効率性を極大化するために効果的な送受信方式及び活用方法が提案されてきた。次世代無線通信システムで考慮されているシステムのうち一つが複数搬送波システムである。複数搬送波システムとは、無線通信システムが広帯域をサポートしようとするとき、目標とする広帯域より小さい帯域幅を有する１個以上の搬送波を集約して広帯域を構成するシステムを意味する。
【０００３】
従来、第三世代パートナシッププロジェクト（３ＧＰＰ）長期進化システム（ＬＴＥ）のような無線通信システムは、多様な帯域幅の搬送波を使用するが、一つの搬送波、すなわち、単一搬送波システムであった。一方、高度ＬＴＥ（ＬＴＥ−Ａ）のような次世代無線通信システムは、複数の搬送波を集約（ａｇｇｒｅｇａｔｉｏｎ）して利用する複数搬送波システムである。
【０００４】
複数搬送波システムにおいて、端末は、複数のダウンリンク搬送波を介して複数のデータユニットを受信し、複数のデータユニットに対する複数の受信確認情報、すなわち、肯定応答（ＡＣＫ）／否定応答（ＮＡＣＫ）を基地局にフィードバックすることができる。
【０００５】
複数搬送波システムは、アップリンク送信とダウンリンク送信とが、１）別個の周波数帯域で同時に実行できる周波数分割２重通信（ＦＤＤ）、又は２）同じ周波数帯域で別個の時間、すなわち、別個のサブフレームで実行することができるＴＤＤのうちいずれか一つで動作することができる。複数搬送波システムがＴＤＤで動作する場合、複数のダウンリンクコンポーネント搬送波（ＤＬ ＣＣ）の各々に対して、複数のダウンリンクサブフレームで受信したデータユニットを、一つのアップリンクコンポーネント搬送波（ＵＬ ＣＣ）の一つのアップリンクサブフレームで送信可能でなければならない。このような場合、従来の単一搬送波システムに比較して端末がフィードバックすべきＡＣＫ／ＮＡＣＫ情報の量が増加することがある。
【０００６】
したがって、単一搬送波システムがＴＤＤで動作する場合、使われる既存のＡＣＫ／ＮＡＣＫ送信方法と異なるＡＣＫ／ＮＡＣＫ送信方法及び装置が要求される。
【発明の概要】
【発明が解決しようとする課題】
【０００７】
本発明の技術的課題は、ＴＤＤで動作する複数搬送波システムにおいて、複数のＡＣＫ／ＮＡＣＫを送信する方法及び装置を提供することにある。
【課題を解決するための手段】
【０００８】
本発明の一態様によるＴＤＤで動作する無線通信システムにおいて、複数のサービス提供セルが設定された端末のＡＣＫ／ＮＡＣＫを送信する方法は、複数のサービス提供セルを介して複数の符号語を受信するステップと、複数の符号語の各々に対する受信確認を示すＡＣＫ／ＮＡＣＫ情報を生成するステップと、生成されたＡＣＫ／ＮＡＣＫ情報をバンドルするステップと、バンドルされたＡＣＫ／ＮＡＣＫ情報を送信するステップとを含み、バンドルするステップは、生成されたＡＣＫ／ＮＡＣＫ情報の一部又は全部を予め決められた送信量以下になるまで順次行われることを特徴とする。
【０００９】
複数のサービス提供セルは、搬送波指示フィールド値によって区分され、バンドルするステップは、複数のサービス提供セルのうち、搬送波指示フィールド値が最も大きいサービス提供セルから、同じダウンリンクサブフレーム内で受信した複数の符号語に対するＡＣＫ／ＮＡＣＫ情報について行われる。
【００１０】
複数のサービス提供セルのうち、搬送波指示フィールド値が最も小さいサービス提供セルは、１次セルであり、１次セルは最後にバンドルが実行される。
【００１１】
バンドルするステップは、複数のサービス提供セルのうち少なくとも一つのサービス提供セルに対し、同じダウンリンクサブフレーム内で、複数の符号語の全部を成功裏に受信した場合にはＡＣＫについて行われ、その以外の場合にはＮＡＣＫについて行われる。
【００１２】
バンドルされたＡＣＫ／ＮＡＣＫ情報は、物理アップリンク制御チャネル（ＰＵＣＣＨ）リソース選択に基づくチャネル選択方式、又はＰＵＣＣＨフォーマット３を利用する方式のうちいずれか一つを利用して送信される。
【００１３】
本発明の他の態様によるＴＤＤで動作する無線通信システムにおいて、複数のサービス提供セルが設定された端末のＡＣＫ／ＮＡＣＫを送信する方法は、第１のサービス提供セルを介して少なくとも一つの符号語を受信するステップと、第２のサービス提供セルを介して少なくとも一つの符号語を受信するステップと、第１のサービス提供セル及び第２のサービス提供セルを介して受信した符号語に対するＡＣＫ／ＮＡＣＫを送信するステップと、を含み、第１のサービス提供セル及び第２のサービス提供セルは、符号語を受信するダウンリンクサブフレームと、ダウンリンクサブフレームに対応してＡＣＫ／ＮＡＣＫを送信するアップリンクサブフレームとがＭ：１（Ｍは、自然数）の関係を有し、Ｍが１の場合には同じサブフレーム内で受信した複数の符号語に対するＡＣＫ／ＮＡＣＫを全部送信し、Ｍが１より大きい場合には同じサブフレーム内で受信した複数の符号語に対するＡＣＫ／ＮＡＣＫをバンドルして送信することを特徴とする。
【００１４】
第１のサービス提供セルは、１次セルであり、１次セルを介して、第１のサービス提供セルを介して受信する符号語をスケジュールする第１のＰＤＣＣＨ、及び第２のサービス提供セルを介して受信する符号語をスケジュールする第２のＰＤＣＣＨを受信する。
【００１５】
第１のＰＤＣＣＨを受信する無線リソース及び第２のＰＤＣＣＨを受信する無線リソースに基づいて、第１のサービス提供セル及び第２のサービス提供セルを介して受信した符号語に対するＡＣＫ／ＮＡＣＫを送信することができる複数の無線リソースが割り当てられる。
【発明の効果】
【００１６】
本発明によると、端末は、複数のサービス提供セルで受信したデータユニットに対するＡＣＫ／ＮＡＣＫを、制限されたＰＵＣＣＨリソースを利用して効率的に送信することができる。
【図面の簡単な説明】
【００１７】
【図１】無線通信システムを示す図である。
【図２】３ＧＰＰ ＬＴＥにおける無線フレームの構造を示す図である。
【図３】一つのダウンリンクスロットに対するリソースグリッドの一例を示す図である。
【図４】ダウンリンクサブフレームの構造を示す図である。
【図５】アップリンクサブフレームの構造を示す図である。
【図６】ＰＵＣＣＨフォーマットと制御領域との物理的マップ関係を示す図である。
【図７】３ＧＰＰ ＬＴＥにおける正規ＣＰの場合のＰＵＣＣＨフォーマット１ｂを示す図である。
【図８】正規ＣＰの場合のＰＵＣＣＨフォーマット３を示す図である。
【図９】ＰＵＣＣＨフォーマット３を介して信号を送信する過程を示す図である。
【図１０】ＦＤＤにおいてＨＡＲＱを実行する一例を示す図である。
【図１１】ＴＤＤで動作する無線通信システムにおいて、ＤＡＩを送信する例を示す図である。
【図１２】単一搬送波システムと複数搬送波システムとの比較例を示す図である。
【図１３】交差搬送波スケジュールの例を示す図である。
【図１４】本発明の一実施例に係るＡＣＫ／ＮＡＣＫ送信方法を示す図である。
【図１５】前述した方法１−１及び１−２を例示する図面である。
【図１６】前述した方法１−３及び１−４を例示する図面である。
【図１７】前述した方法２−１及び２−２を例示する図面である。
【図１８】前述した方法２−３及び２−４を例示する図面である。
【図１９】ＡＣＫ／ＮＡＣＫをＰＵＣＣＨフォーマット３で送信するとき、従来の方法及び本発明を適用した一例を示す図である。
【図２０】ＡＣＫ／ＮＡＣＫをＰＵＣＣＨリソース選択に基づくチャネル選択方法で送信するとき、従来の方法及び本発明を適用した一例を示す図である。
【図２１】本発明の実施例が具現される基地局及び端末を示すブロック図である。
【発明を実施するための形態】
【００１８】
以下の技術は、符号分割多元接続（ＣＤＭＡ）、周波数分割多元接続（ＦＤＭＡ）、時分割多元接続（ＴＤＭＡ）、直交周波数分割多元接続（ＯＦＤＭＡ）、単一搬送波周波数分割多元接続（ＳＣ−ＦＤＭＡ）などのような多様な無線通信システムに使うことができる。ＣＤＭＡは、はん用地上無線接続（ＵＴＲＡ）又はＣＤＭＡ２０００のような無線技術で具現することができる。ＴＤＭＡは、世界移動体通信システム（ＧＳＭ（登録商標））／はん用パケット無線サービス（ＧＰＲＳ）／ＧＳＭ（登録商標）進化用強化データ速度（ＥＤＧＥ）のような無線技術で具現することができる。ＯＦＤＭＡは、ＩＥＥＥ８０２.１１（Ｗｉ−Ｆｉ）、ＩＥＥＥ８０２.１６（ＷｉＭＡＸ）、ＩＥＥＥ８０２.２０、進化ＵＴＲＡ（Ｅ−ＵＴＲＡ）などのような無線技術で具現することができる。ＩＥＥＥ８０２.１６ｍは、ＩＥＥＥ８０２.１６ｅの進化形であり、ＩＥＥＥ８０２.１６ｅに基づくシステムとの後方互換性を提供する。ＵＴＲＡは、はん用移動体通信システム（ＵＭＴＳ）の一部である。３ＧＰＰ ＬＴＥは、進化ＵＴＲＡ（Ｅ−ＵＴＲＡ）を使用する進化ＵＭＴＳ（Ｅ−ＵＭＴＳ）の一部であり、ダウンリンクでＯＦＤＭＡを採用し、アップリンクでＳＣ−ＦＤＭＡを採用する。ＬＴＥ−Ａは、３ＧＰＰ ＬＴＥの進化形である。説明を明確にするために、ＬＴＥ、ＬＴＥ−Ａを中心に記述するが、本発明の技術的思想がこれに制限されるものではない。
【００１９】
図１は、無線通信システムを示す。
【００２０】
無線通信システム１０は、少なくとも一つの基地局（ＢＳ）１１を含む。各基地局１１は、特定の地理的領域１５ａ、１５ｂ、１５ｃに対して通信サービスを提供する。端末（Ｕｓｅｒ Ｅｑｕｉｐｍｅｎｔ，ＵＥ）１２は、固定されてもよいし、移動性を有してもよく、移動機（ＭＳ）、移動端末（ＭＴ）、ユーザ端末（ＵＴ）、加入者局（ＳＳ）、無線機器、ＰＤＡ（Ｐｅｒｓｏｎａｌ Ｄｉｇｉｔａｌ Ａｓｓｉｓｔａｎｔ）、無線モデム、携帯機器等、他の用語で呼ばれることもある。
【００２１】
基地局１１は、一般的に端末１２と通信する固定局を意味し、進化ノードＢ（ｅＮＢ）、基地局装置（ＢＴＳ）、アクセスポイント等、他の用語で呼ばれることもある。
【００２２】
以下、ダウンリンクは基地局１１から端末１２への通信を意味し、アップリンクは端末１２から基地局１１への通信を意味する。無線通信システムは、大きくＦＤＤ方式とＴＤＤ方式とに分けられる。ＦＤＤ方式によると、アップリンク送信とダウンリンク送信とが別個の周波数帯域を占め、同時に行うことができる。ＴＤＤ方式によると、アップリンク送信とダウンリンク送信とが同じ周波数帯域を占め、別個の時間に行われる。
【００２３】
図２は、３ＧＰＰ ＬＴＥにおける無線フレームの構造を示す。
【００２４】
図２を参照すると、無線フレームは、１０個のサブフレームで構成され、一つのサブフレームは、２個のスロットで構成される。無線フレーム内のスロットは、＃０から＃１９までのスロット番号が付けられる。一つのサブフレームの送信にかかる時間を送信時間間隔（ＴＴＩ）という。ＴＴＩは、データ送信のためのスケジュール単位である。例えば、一つの無線フレームの長さは１０ｍｓであり、一つのサブフレームの長さは１ｍｓであり、一つのスロットの長さは０.５ｍｓである。
【００２５】
一つのスロットは、時間領域で複数の直交周波数分割多重化（ＯＦＤＭ）シンボルを含む。ＯＦＤＭシンボルは、３ＧＰＰ ＬＴＥがダウンリンクでＯＦＤＭＡを使用するため、一つのシンボル区間（ｓｙｍｂｏｌ ｐｅｒｉｏｄ）を表現するためのものであり、他の名称で呼ばれることもある。例えば、多元接続方式にＳＣ−ＦＤＭＡが使われる場合、ＳＣ−ＦＤＭＡシンボルと呼んでもよい。３ＧＰＰ ＬＴＥは、正規（ｎｏｒｍａｌ）循環プレフィクス（Ｃｙｃｌｉｃ Ｐｒｅｆｉｘ，ＣＰ）の場合、一つのスロットは７個のＯＦＤＭシンボルを含み、拡張ＣＰの場合、一つのスロットは６個のＯＦＤＭシンボルを含むと定義している。
【００２６】
図３は、一つのダウンリンクスロットに対するリソースグリッドの一例を示す。
【００２７】
ダウンリンクスロットは、時間領域で複数のＯＦＤＭシンボルを含み、周波数領域でＮRB個のリソースブロック（ＲＢ）を含む。リソースブロックは、リソース割当単位であり、一つのスロットで複数の連続する副搬送波を含む。図３において、一つのリソースブロックが、時間領域では７ＯＦＤＭシンボル、周波数領域では１２副搬送波で構成される場合を例示的に記述するが、これに制限されるものではない。リソースブロック内のＯＦＤＭシンボルの数と副搬送波の数とは、ＣＰの長さ、周波数間隔（ｆｒｅｑｕｅｎｃｙ ｓｐａｃｉｎｇ）などによって多様に変更することができる。例えば、正規ＣＰの場合、ＯＦＤＭシンボルの数は７であり、拡張されたＣＰの場合、ＯＦＤＭシンボルの数は６である。一つのＯＦＤＭシンボルで、副搬送波の数は、１２８、２５６、５１２、１０２４、１５３６及び２０４８のうち一つを選定して使用することができる。ダウンリンクスロットに含まれるリソースブロックの数ＮRBは、セルで設定されるダウンリンク送信帯域幅に従属する。例えば、ＬＴＥシステムで、ＮRBは、６乃至１１０のうちいずれか一つである。
【００２８】
リソースグリッド上の各要素をリソース要素（ＲＥ）という。リソース要素は、スロット内のインデクス対（ｐａｉｒ）（ｋ,ｌ）によって識別することができる。ここで、ｋ（ｋ＝０,...,ＮRB×１２−１）は副搬送波インデクスであり、ｌ（ｌ＝０,...,６）はＯＦＤＭシンボルインデクスである。
【００２９】
アップリンクスロットの構造も前記ダウンリンクスロットの構造と同様である。
【００３０】
図４は、ダウンリンクサブフレームの構造を示す。
【００３１】
ダウンリンクサブフレームは、時間領域で２個のスロットを含み、各スロットは、正規ＣＰの場合７個のＯＦＤＭシンボルを含む。サブフレーム内の第１のスロットの前方部の最大３ＯＦＤＭシンボル（１.４ＭＨｚ帯域幅に対しては最大４ＯＦＤＭシンボル）は、制御チャネルが割り当てられる制御領域であり、残りのＯＦＤＭシンボルは、物理ダウンリンク共有チャネル（ＰＤＳＣＨ）が割り当てられるデータ領域である。
【００３２】
ＰＤＣＣＨは、ダウンリンク共有チャネル（ＤＬ−ＳＣＨ）のリソース割当及び送信フォーマット、アップリンク共有チャネル（ＵＬ−ＳＣＨ）のリソース割当情報、呼出しチャネル（ＰＣＨ）上の呼出し情報、ＤＬ−ＳＣＨ上のシステム情報、ＰＤＳＣＨ上に送信されるランダムアクセス応答のような上位階層制御メッセージのリソース割当、任意のＵＥグループ内の個別ＵＥに対する送信パワー制御命令の集約及びＩＰ電話（ＶｏＩＰ）の活性化などを伝送することができる。前述したようなＰＤＣＣＨを介して送信される制御情報をダウンリンク制御情報（ＤＣＩ）という。
【００３３】
複数のＰＤＣＣＨを制御領域内で送信することができ、端末は複数のＰＤＣＣＨを監視することができる。ＰＤＣＣＨは、一個又は複数個の連続的な制御チャネル要素（ＣＣＥ）の集約上で送信される。ＣＣＥは、無線チャネル状態に応じた符号化速度をＰＤＣＣＨに提供するために使われる論理的割当単位である。ＣＣＥは、複数のリソース要素グループ（ＲＥＧ）に対応する。一つのＲＥＧは４個のリソース要素を含み、一つのＣＣＥは９個のＲＥＧを含む。一つのＰＤＣＣＨを構成するために｛１,２,４,８｝個のＣＣＥを使用することができる。ＰＤＣＣＨを構成するＣＣＥの個数、すなわち、｛１,２,４,８｝の各々をＣＣＥ集約レベルという。ＣＣＥの数と、ＣＣＥによって提供される符号化速度との相関関係によってＰＤＣＣＨのフォーマット及び送信可能なＰＤＣＣＨのビット数が決定される。
【００３４】
基地局は、端末に送るＤＣＩによってＰＤＣＣＨフォーマットを決定し、制御情報に巡回冗長検査（ＣＲＣ）ビットを付ける。ＣＲＣにはＰＤＣＣＨの所有者又は用途によって固有な識別子（ＲＮＴＩ）がマスクされる。特定端末のためのＰＤＣＣＨの場合、端末の固有識別子、例えば、セルＲＮＴＩ（Ｃ−ＲＮＴＩ）がＣＲＣにマスクされることがある。又は、ページングメッセージのためのＰＤＣＣＨの場合、ページング指示識別子、すなわち、呼出しＲＮＴＩ（Ｐ−ＲＮＴＩ）がＣＲＣにマスクされることがある。システム情報（ＳＩＢ）のためのＰＤＣＣＨの場合、システム情報識別子、すなわち、システム情報ＲＮＴＩ（ＳＩ−ＲＮＴＩ）がＣＲＣにマスクされることがある。端末のランダムアクセスプリアンブルの送信に対する応答であるランダムアクセス応答を指示するために、ランダムアクセスＲＮＴＩ（ＲＡ−ＲＮＴＩ）がＣＲＣにマスクされることがある。
【００３５】
図５は、アップリンクサブフレームの構造を示す。
【００３６】
アップリンクサブフレームは、周波数領域で制御領域とデータ領域とに分けることができる。制御領域にはアップリンク制御情報（ＵＣＩ）が送信されるためのＰＵＣＣＨが割り当てられる。データ領域は、アップリンクデータ及び／又はアップリンク制御情報が送信されるためのＰＵＳＣＨが割り当てられる。このような意味で、制御領域はＰＵＣＣＨ領域と呼ばれ、データ領域はＰＵＳＣＨ領域と呼ばれることがある。上位階層で指示される設定情報によって、端末は、ＰＵＳＣＨとＰＵＣＣＨとの同時送信をサポートし、又はＰＵＳＣＨとＰＵＣＣＨとの同時送信をサポートしない。
【００３７】
ＰＵＳＣＨは、トランスポートチャネルであるＵＬ−ＳＣＨにマップされる。ＰＵＳＣＨ上に送信されるアップリンクデータは、トランスポートブロック（ＴＴＩ中に送信されるＵＬ−ＳＣＨのためのデータブロック）であってもよい。又は、アップリンクデータは、多重化されたデータであってもよい。多重化されたデータは、ＵＬ−ＳＣＨのためのトランスポートブロックとアップリンク制御情報とが多重化されたものであってもよい。多重化されるアップリンク制御情報には、チャネル品質指示子（ＣＱＩ）、プリコーディング行列指示子（ＰＭＩ）、ハイブリッド自動再送要求（ＨＡＲＱ）肯定応答（ＡＣＫ）／否定応答（ＮＡＣＫ）、ランク指示子（ＲＩ）、プリコーディング種別指示（ＰＴＩ）などがある。ＰＵＳＣＨではアップリンク制御情報だけが送信されることもある。
【００３８】
一つの端末に対するＰＵＣＣＨは、サブフレーム内のリソースブロック対（ＲＢ ｐａｉｒ）に割り当てられる。リソースブロック対に属するリソースブロックは、第１のスロット及び第２のスロットの各々で別個の副搬送波を占める。すなわち、前記リソースブロック対に属するリソースブロックが占める周波数は、スロット境界を基準に変更される。これをＰＵＣＣＨに割り当てられるＲＢ対がスロット境界で周波数がホップされたという。端末がアップリンク制御情報を時間によって別個の副搬送波を介して送信することによって、周波数ダイバシチ利得を得ることができる。
【００３９】
ＰＵＣＣＨは、フォーマットに応じて多様な種類の制御情報を伝送する。ＰＵＣＣＨフォーマット１は、スケジュール要求（ＳＲ）を伝送する。このとき、オン・オフ変調（ＯＯＫ）方式が適用されることがある。ＰＵＣＣＨフォーマット１ａは、一つの符号語に対して２相位相変調（ＢＰＳＫ）方式で変調されたＡＣＫ／ＮＡＣＫを伝送する。ＰＵＣＣＨフォーマット１ｂは、２個の符号語に対して４相位相変調（ＱＰＳＫ）方式で変調されたＡＣＫ／ＮＡＣＫを伝送する。ＰＵＣＣＨフォーマット２は、ＱＰＳＫ方式で変調されたＣＱＩを伝送する。ＰＵＣＣＨフォーマット２ａ及び２ｂは、ＣＱＩ及びＡＣＫ／ＮＡＣＫを伝送する。ＰＵＣＣＨフォーマット３は、ＱＰＳＫ方式で変調され、複数のＡＣＫ／ＮＡＣＫ、ＳＲを伝送することができる。
【００４０】
表１は、ＰＵＣＣＨフォーマットによる変調方式と、サブフレーム内のビットの個数とを示す。
【００４１】
【表１】
2013542638.tif 000003
【００４２】
表１には示していないが、ＰＵＣＣＨフォーマット３は、最大２０ビットのＡＣＫ／ＮＡＣＫを送信することができる。
【００４３】
図６は、ＰＵＣＣＨフォーマットと制御領域との物理的マップ関係を示す。
【００４４】
図６を参照すると、ＰＵＣＣＨフォーマット２／２ａ／２ｂは、割り当てられる帯域の境界のリソースブロック（例えば、ＰＵＣＣＨ領域でｍ＝０,１）にマップされて送信される。混合ＰＵＣＣＨリソースブロックは、ＰＵＣＣＨフォーマット２／２ａ／２ｂが割り当てられるリソースブロックの、帯域の中心方向に隣接したリソースブロック（例えば、ｍ＝２）にマップされて送信されることがある。ＳＲ、ＡＣＫ／ＮＡＣＫが送信されるＰＵＣＣＨフォーマット１／１ａ／１ｂは、ｍ＝４又はｍ＝５のリソースブロックに配置されることがある。
【００４５】
すべてのＰＵＣＣＨフォーマットは、各ＯＦＤＭシンボルでシーケンスの循環シフト（ｃｙｌｉｃ ｓｈｉｆｔ，ＣＳ）を使用する。循環シフトされたシーケンスは、基本シーケンスを特定ＣＳ量だけ循環シフトさせて生成される。特定ＣＳ量は、循環シフトインデクスによって指示される。
【００４６】
基本シーケンスｒu（ｎ）を定義した一例は、次の式の通りである。
【数１】
2013542638.tif 000004
【００４７】
ここで、ｕはルートインデクス、ｎは要素インデクスであり、０≦ｎ≦Ｎ−１、Ｎは基本シーケンスの長さである。ｂ（ｎ）は、３ＧＰＰ ＴＳ３６.２１１ Ｖ８.７.０の５.５節で定義されている。
【００４８】
シーケンスの長さはシーケンスに含まれる要素の数と同じである。ｕは、セル識別子（ＩＤ）、無線フレーム内のスロット番号などによって決めてもよい。基本シーケンスが周波数領域で一つのリソースブロックにマップされるとき、一つのリソースブロックが１２副搬送波を含むため、基本シーケンスの長さＮは１２となる。異なるルートインデクスによって異なる基本シーケンスが定義される。
【００４９】
基本シーケンスｒ（ｎ）を次の数式２のように循環シフトさせ、循環シフトされたシーケンスｒ（ｎ,Ｉcs）を生成することができる。
【数２】
2013542638.tif 000005
【００５０】
ここで、ＩcsはＣＳ量を示す循環シフトインデクスである（０≦Ｉcs≦Ｎ−１）。
【００５１】
基本シーケンスの可用循環シフトインデクスは、ＣＳ間隔によって基本シーケンスから得ることができる循環シフトインデクスを意味する。例えば、基本シーケンスの長さが１２であり、ＣＳ間隔が１の場合、基本シーケンスの可用循環シフトインデクスの総個数は１２となる。又は、基本シーケンスの長さが１２であり、ＣＳ間隔が２の場合、基本シーケンスの可用循環シフトインデクスの総数は６となる。
【００５２】
以下、ＰＵＣＣＨフォーマット１ａ／１ｂでのＨＡＲＱ ＡＣＫ／ＮＡＣＫ信号の送信について説明する。
【００５３】
図７は、３ＧＰＰ ＬＴＥにおける正規ＣＰの場合のＰＵＣＣＨフォーマット１ｂを示す。
【００５４】
一つのスロットは７個のＯＦＤＭシンボルを含み、３個のＯＦＤＭシンボルは基準信号（ＲＳ）用のＲＳシンボルになり、４個のＯＦＤＭシンボルはＡＣＫ／ＮＡＣＫ信号のためのデータシンボルになる。
【００５５】
ＰＵＣＣＨフォーマット１ｂでは、符号化された２ビットＡＣＫ／ＮＡＣＫ信号をＱＰＳＫ変調して変調シンボルｄ（０）が生成される。
【００５６】
循環シフトインデクスＩcsは、無線フレーム内のスロット番号（ｎs）及び／又はスロット内のシンボルインデクス（ｌ）によって変わることがある。
【００５７】
正規ＣＰの場合、一つのスロットにＡＣＫ／ＮＡＣＫ信号の送信のために４個のデータシンボルがあるため、各データシンボルで対応する循環シフトインデクスをＩcs0,Ｉcs1,Ｉcs2,Ｉcs3であると仮定する。
【００５８】
変調シンボルｄ（０）は、循環シフトされたシーケンスｒ（ｎ,Ｉcs）に拡散される。スロットで（ｉ＋１）番目のＯＦＤＭシンボルに対応する一次元拡散されたシーケンスをｍ（ｉ）とするとき、次のように表すことができる。
【００５９】
｛ｍ（０）,ｍ（１）,ｍ（２）,ｍ（３）｝＝｛ｄ（０）ｒ（ｎ,Ｉcs0）,ｄ（０）ｒ（ｎ,Ｉcs1）,ｄ（０）ｒ（ｎ,Ｉcs2）,ｄ（０）ｒ（ｎ,Ｉcs3）｝
【００６０】
端末容量を増加させるために、一次元拡散されたシーケンスは、直交シーケンスを利用して拡散させることができる。拡散係数Ｋ＝４である直交シーケンスｗi（ｋ）（ｉは、シーケンスインデクス、０≦ｋ≦Ｋ−１）であり、次のようなシーケンスを使用する。
【表２】
2013542638.tif 000006
【００６１】
拡散係数Ｋ＝３である直交シーケンスｗi（ｋ）（ｉは、シーケンスインデクス、０≦ｋ≦Ｋ−１）であり、次のようなシーケンスを使用する。
【表３】
2013542638.tif 000007
【００６２】
スロット毎に異なる拡散係数を使用することができる。
【００６３】
したがって、任意の直交シーケンスインデクスｉが与えられたとき、２次元拡散されたシーケンス｛ｓ（０）,ｓ（１）,ｓ（２）,ｓ（３）｝は、次のように表すことができる。
【００６４】
｛ｓ（０）,ｓ（１）,ｓ（２）,ｓ（３）｝＝｛ｗi（０）ｍ（０）,ｗi（１）ｍ（１）,ｗi（２）ｍ（２）,ｗi（３）ｍ（３）｝
【００６５】
２次元拡散されたシーケンス｛ｓ（０）,ｓ（１）,ｓ（２）,ｓ（３）｝は、ＩＦＦＴが実行された後、対応するＯＦＤＭシンボルで送信される。これによって、ＡＣＫ／ＮＡＣＫ信号がＰＵＣＣＨ上に送信される。
【００６６】
ＰＵＣＣＨフォーマット１ｂの基準信号も基本シーケンスｒ（ｎ）を循環シフトさせた後、直交シーケンスに拡散させて送信される。３個のＲＳシンボルに対応する循環シフトインデクスをＩcs4,Ｉcs5,Ｉcs6とすると、３個の循環シフトされたシーケンスｒ（ｎ,Ｉcs4）、ｒ（ｎ,Ｉcs5）、ｒ（ｎ,Ｉcs6）を得ることができる。この３個の循環シフトされたシーケンスは、Ｋ＝３である直交シーケンスｗRS,i（ｋ）に拡散される。
【００６７】
直交シーケンスインデクスｉ、循環シフトインデクスＩcs及びリソースブロックインデクスｍは、ＰＵＣＣＨを構成するために必要なパラメータであり、ＰＵＣＣＨ（又は端末）を区分するときに使われるリソースである。可用循環シフトの個数が１２であり、可用直交シーケンスインデクスの個数が３の場合、総計３６個の端末に対するＰＵＣＣＨを一つのリソースブロックに多重化することができる。
【００６８】
３ＧＰＰ ＬＴＥでは、端末がＰＵＣＣＨを構成するための上記３個のパラメータを取得するために、リソースインデクスｎ（1）PUCCHが定義される。ｎ（1）PUCCHをＰＵＣＣＨインデクスと呼ぶこともある。リソースインデクスｎ（1）PUCCHはｎCCE＋Ｎ（1）PUCCHで与えることができ、ｎCCEは、対応するＰＤＣＣＨ（すなわち、ＡＣＫ／ＮＡＣＫ信号に対応するダウンリンクデータの受信に使われたダウンリンクリソース割当を含むＰＤＣＣＨ）の送信に使われる１番目のＣＣＥの番号であり、Ｎ（1）PUCCHは、基地局が端末に上位階層メッセージを介して知らせるパラメータである。
【００６９】
ＡＣＫ／ＮＡＣＫ信号の送信に使われる時間、周波数、符号リソースをＡＣＫ／ＮＡＣＫリソース又はＰＵＣＣＨリソースという。前述したように、ＡＣＫ／ＮＡＣＫ信号をＰＵＣＣＨ上に送信するために必要なＡＣＫ／ＮＡＣＫリソース又はＰＵＣＣＨリソースは、直交シーケンスインデクスｉ、循環シフトインデクスＩcs、リソースブロックインデクスｍによって表現したり、前記３個のインデクスを求めるためのＰＵＣＣＨインデクス（ｎ（1）PUCCH）で表現したりすることがある。
【００７０】
図８は、正規ＣＰでＰＵＣＣＨフォーマット３を示す。
【００７１】
ＰＵＣＣＨフォーマット３は、ブロック拡散方式を使用するＰＵＣＣＨフォーマットである。ブロック拡散方式は、ブロック拡散符号を利用してマルチビットＡＣＫ／ＮＡＣＫを変調した変調シンボルシーケンスを多重化する方法を意味する。ブロック拡散方式は、ＳＣ−ＦＤＭＡ方式を利用することができる。ここで、ＳＣ−ＦＤＭＡ方式は、ＤＦＴ拡散後、ＩＦＦＴが実行される送信方式を意味する。
【００７２】
ＰＵＣＣＨフォーマット３は、シンボルシーケンスがブロック拡散符号によって時間領域に拡散されて送信される。すなわち、ＰＵＣＣＨフォーマット３では一つ以上のシンボルで構成されるシンボルシーケンスが各データシンボルの周波数領域にわたって送信され、ブロック拡散符号によって時間領域で拡散されて送信される。ブロック拡散符号は、直交カバー符号（ｏｒｔｈｏｇｏｎａｌ ｃｏｖｅｒ ｃｏｄｅ）が使われることがある。
【００７３】
図８では一つのスロットで２個のＲＳシンボルが含まれる場合を例示したが、これに制限されず、３個のＲＳシンボルが含まれることもある。
【００７４】
図９は、ＰＵＣＣＨフォーマット３を介して信号を送信する過程を示す。
【００７５】
図９を参照すると、ＡＣＫ／ＮＡＣＫ情報ビットで構成されたビット列に対してチャネル符号化が実行される（Ｓ２０１）。チャネル符号化にはＲＭ符号が使われることがある。
【００７６】
チャネル符号化の結果生成される符号化情報ビットは、適用される変調シンボル順序と、マップされるリソースとを考慮して速度整合（ｒａｔｅ−ｍａｔｃｈｉｎｇ）することができる。生成される符号化情報ビットに対してセル間干渉（ＩＣＩ）のランダム化のために、セルＩＤに対応されるスクランブル符号を利用したセル特定スクランブル又は端末ＩＤ（例えば、無線ネットワーク一時識別子（ＲＮＴＩ））に対応するスクランブル符号を利用した端末特定スクランブルを適用することができる（Ｓ２０２）。
【００７７】
スクランブルされた符号化情報ビットは、変調器を介して変調される（Ｓ２０３）。スクランブルされた符号化情報ビットが変調されることで、ＱＰＳＫシンボルで構成された変調シンボルシーケンスを生成することができる。ＱＰＳＫシンボルは、複素値を有する複素変調シンボルである。
【００７８】
各スロット内のＱＰＳＫシンボルに対してそれぞれのスロットで単一搬送波波形を生成するための離散フーリエ変換（ＤＦＴ）が実行される（Ｓ２０４）。
【００７９】
ＤＦＴが実行されたＱＰＳＫシンボルに対して、予め指定され、又は動的信号通知又は無線リソース制御（ＲＲＣ）信号通知などを介して決定されたブロック拡散符号を介して、ＳＣ−ＦＤＭＡシンボルレベルにブロック単位拡散（ｂｌｏｃｋ−ｗｉｓｅ ｓｐｒｅａｄｉｎｇ）が実行される（Ｓ２０５）。すなわち、変調シンボルシーケンスは、直交シーケンスによって拡散され、拡散されたシーケンスが生成される。
【００８０】
前記のように拡散されたシーケンスは、リソースブロック内の副搬送波にマップされる（Ｓ２０６、Ｓ２０７）。その後、逆高速フーリエ変換（ＩＦＦＴ）によって時間領域の信号に変換され、ＣＰが付加されて無線周波（ＲＦ）部を介して送信される。
【００８１】
図１０は、ＦＤＤでＨＡＲＱ実行の一例を示す。
【００８２】
端末は、ＰＤＣＣＨを監視し、ｎ番目のＤＬサブフレームでＰＤＣＣＨ５０１上でＤＬリソース割当（又はＤＬ許可という）を受信する。端末は、ＤＬリソース割当によって指示されるＰＤＳＣＨ５０２を介してＤＬトランスポートブロックを受信する。
【００８３】
端末は、ｎ＋４番目のＵＬサブフレームでＰＵＣＣＨ５１１上でＤＬトランスポートブロックに対するＡＣＫ／ＮＡＣＫ信号を送信する。ＡＣＫ／ＮＡＣＫ信号は、ＤＬトランスポートブロックに対する受信確認情報ということができる。
【００８４】
ＡＣＫ／ＮＡＣＫ信号は、ＤＬトランスポートブロックが成功裏に復号されると、ＡＣＫ信号となり、ＤＬトランスポートブロックの復号に失敗すると、ＮＡＣＫ信号となる。基地局は、ＮＡＣＫ信号が受信されると、ＡＣＫ信号が受信されるか、最大再送信回数に達するまで、ＤＬトランスポートブロックの再送信を実行することができる。
【００８５】
３ＧＰＰ ＬＴＥではＰＵＣＣＨ５１１のためのリソースインデクスを設定するためにＰＤＣＣＨ５０１のリソース割当を利用する。すなわち、ＰＤＣＣＨ５０１の送信に使われる最も低いＣＣＥインデクス（又は１番目のＣＣＥのインデクス）がｎCCEとなり、ｎ（1）PUCCH＝ｎCCE＋Ｎ（1）PUCCHのようにリソースインデクスを決定することである。このようにＰＵＣＣＨリソースは黙示的に決定することができる。
【００８６】
以下、ＴＤＤでＨＡＲＱを実行する方法について説明する。ＴＤＤは、ＦＤＤと違って、同じ周波数帯域で時間的に区分されたＤＬサブフレーム及びＵＬサブフレームを使用する。次の表は、ＵＬサブフレーム及びＤＬサブフレームの配置による設定可能な無線フレームの構造の例を示す。次の表で、‘Ｄ’はＤＬサブフレーム、‘Ｕ’はＵＬサブフレーム、‘Ｓ’は特殊サブフレームを示す。
【００８７】
【表４】
2013542638.tif 000008
【００８８】
表４に示すように、一つの無線フレーム内にＤＬサブフレームの数とＵＬサブフレームの数との比が１：１に対応しない場合も発生する。特に、ＤＬサブフレームの数がＵＬサブフレームの数より多い場合、複数（Ｍ個、Ｍは２より大きい自然数であり、例えば、２、３、４、９である）のＤＬサブフレームで受信したデータユニットに対するＡＣＫ／ＮＡＣＫを一つのＵＬサブフレームで送信すべき場合が発生する。
【００８９】
このような場合、端末は、複数のＰＤＳＤＨに対して一つのＡＣＫ／ＮＡＣＫを送信することができ、従来の方法では大きく二つの方法が使われる。
【００９０】
１．ＡＣＫ／ＮＡＣＫバンドル
【００９１】
ＡＣＫ／ＮＡＣＫバンドルは、端末が受信した複数のＰＤＳＣＨを全部受信成功した場合に一つのＰＵＣＣＨを介して一つのＡＣＫを送信し、その以外の場合には全部ＮＡＣＫを送信する。
【００９２】
２．ＰＵＣＣＨリソース選択に基づくＰＵＣＣＨフォーマット１ｂを利用するチャネル選択（以下チャネル選択と略称する）
【００９３】
この方法は、ＡＣＫ／ＮＡＣＫを送信することができる複数のＰＵＣＣＨリソースを割り当て、割り当てられた複数のＰＵＣＣＨリソースのうちいずれか一つのＰＵＣＣＨリソースで変調シンボルを送信することによって、複数のＡＣＫ／ＮＡＣＫを送信する方式である。
【００９４】
すなわち、チャネル選択は、ＡＣＫ／ＮＡＣＫ送信に使われるＰＵＣＣＨリソースとＱＰＳＫ変調シンボルとの組合せによってＡＣＫ／ＮＡＣＫの内容が決まる。次の表は、使われるＰＵＣＣＨリソース及び変調シンボルが示す２ビット情報によって決定されるＡＣＫ／ＮＡＣＫ内容の一例である。
【００９５】
【表５】
2013542638.tif 000009
【００９６】
表５において、ＨＡＲＱ−ＡＣＫ（ｉ）は、データユニットｉ（ｉ＝０,１,２,３）に対するＡＣＫ／ＮＡＣＫであることを示す。データユニットは、符号語、トランスポートブロック又はＰＤＳＣＨを意味する。ＤＴＸは、受信端でデータユニットの存在を検出することができなかったことを示す。ｎ（1）PUCCH,XはＡＣＫ／ＮＡＣＫ送信に使われるＰＵＣＣＨリソースを示し、表５において、ｘは０、１、２、３のうちいずれか一つである。端末は、割り当てられた複数のＰＵＣＣＨリソースの中から選択された一つのＰＵＣＣＨリソースでＱＰＳＫ変調シンボルによって識別される２ビット（ｂ（０）,ｂ（１））情報を送信する。それによって、基地局は、実際ＡＣＫ／ＮＡＣＫが送信されたＰＵＣＣＨリソースとＱＰＳＫ変調シンボルとの組合せを介して各データユニットに対する受信成功可否を知ることができる。例えば、端末が４個のデータユニットを成功裏に受信して復号した場合、端末はｎ（1）PUCCH,1で２ビット（１,１）を送信する。
【００９７】
前述したＡＣＫ／ＮＡＣＫバンドル又はチャネル選択では、端末が送信するＡＣＫ／ＮＡＣＫの対象となるＰＤＳＣＨの総個数が重要である。端末が複数のＰＤＳＣＨをスケジュールする複数のＰＤＣＣＨのうち一部のＰＤＣＣＨを受信することができない場合、ＡＣＫ／ＮＡＣＫの対象となるＰＤＳＣＨの総個数に対してエラーが発生するため、誤ったＡＣＫ／ＮＡＣＫを送信することがある。このようなエラーを解決するために、ＴＤＤシステムではダウンリンク割当てインデクス（ＤＡＩ）をＰＤＣＣＨに含めて送信する。ＤＡＩには、ＰＤＳＣＨをスケジュールするＰＤＣＣＨの数をカウントしてカウント値を知らせる。
【００９８】
図１１は、ＴＤＤで動作する無線通信システムにおいて、ＤＡＩを送信する例を示す。
【００９９】
３個のＤＬサブフレームに対して一つのＵＬサブフレームが対応される場合、上記３個のＤＬサブフレーム区間で送信されるＰＤＳＣＨに順次インデクスを付与し、そのインデクスをカウンタ値として有するＤＡＩを、ＰＤＳＣＨをスケジュールするＰＤＣＣＨに載せて送る。それによって、端末は、ＰＤＣＣＨに含まれているＤＡＩフィールドを介して、それまでのＰＤＣＣＨを正確に受信したかどうかを知ることができる。
【０１００】
図１１の第１の例で、端末が２番目のＰＤＣＣＨを受信することができない場合、３番目のＰＤＣＣＨのＤＡＩとその時まで受信したＰＤＣＣＨの個数とが互いに一致しないため、２番目のＰＤＣＣＨを受信することができなかったことを知ることができる。
【０１０１】
図１１の第２の例で、端末が最後のＰＤＣＣＨ、すなわち、３番目のＰＤＣＣＨを受信することができない場合、端末は、２番目のＰＤＣＣＨまで受信したＰＤＣＣＨの個数とＤＡＩ値とが一致するため、エラーを認識することができない。ただし、基地局は、端末がＤＡＩ＝３に該当するＰＵＣＣＨリソースではなく、ＤＡＩ＝２に該当するＰＵＣＣＨリソースを介してＡＣＫ／ＮＡＣＫを送信したことによって、端末が３番目のＰＤＣＣＨを受信することができなかったことを知ることができる。
【０１０２】
以下、複数搬送波システムについて説明する。
【０１０３】
３ＧＰＰ ＬＴＥシステムは、ダウンリンク帯域幅とアップリンク帯域幅とが異なるように設定される場合をサポートするが、これは一つのコンポーネント搬送波（ＣＣ）を前提にする。３ＧＰＰ ＬＴＥシステムは、最大２０ＭＨｚをサポートし、アップリンク帯域幅とダウンリンク帯域幅とは異なるが、アップリンク及びダウンリンクの各々に一つのＣＣだけをサポートする。
【０１０４】
搬送波集約（ＣＡ）（スペクトラム集約又は帯域幅集約とも呼ばれる）は、複数のＣＣをサポートすることである。例えば、２０ＭＨｚ帯域幅を有する搬送波単位の粒度（ｇｒａｎｕｌａｒｉｔｙ）として５個のＣＣが割り当てられる場合、最大１００ＭＨｚの帯域幅をサポートすることができる。
【０１０５】
無線通信システムのシステム帯域は、複数の搬送波周波数によって区分される。ここで、搬送波周波数は、セルの中心周波数を意味する。以下、セルは、ダウンリンクコンポーネント搬送波とアップリンクコンポーネント搬送波との対を意味する。又は、セルは、ダウンリンクコンポーネント搬送波と選択的なアップリンクコンポーネント搬送波の組合せを意味する。
【０１０６】
特定セルを介してトランスポートブロックの送受信が行われるためには、まず、端末は、特定セルに対して設定（ｃｏｎｆｉｇｕｒａｔｉｏｎ）を完了しなければならない。ここで、設定とは、該当セルに対するデータ送受信に必要なシステム情報受信を完了した状態を意味する。例えば、設定は、データ送受信に必要な共通物理階層のパラメータ、又はＭＡＣ階層パラメータ、又はＲＲＣ階層で特定動作に必要なパラメータを受信する全般の過程を含むことができる。
【０１０７】
設定完了状態のセルは、活性又は不活性状態で存在することができる。ここで、活性は、データの送信又は受信が行われ、又は待機状態（ｒｅａｄｙ ｓｔａｔｅ）にあることを意味する。端末は、自分に割り当てられたリソース（周波数、時間など）を確認するために、活性化されたセルの制御チャネル（ＰＤＣＣＨ）及びデータチャネル（ＰＤＳＣＨ）を監視又は受信することができる。
【０１０８】
不活性は、データの送信又は受信が不可能であり、測定や最小情報の送信／受信が可能であることを意味する。端末は、不活性セルからパケット受信のために必要なシステム情報（ＳＩ）を受信することができる。一方、端末は、自分に割り当てられたリソース（周波数、時間など）を確認するために、不活性化されたセルの制御チャネル（ＰＤＣＣＨ）及びデータチャネル（ＰＤＳＣＨ）を監視又は受信しない。
【０１０９】
セルは、１次セル（ｐｒｉｍａｒｙ ｃｅｌｌ）、２次セル（ｓｅｃｏｎｄａｒｙ ｃｅｌｌ）、サービス提供セル（ｓｅｒｖｉｎｇ ｃｅｌｌ）に区分することができる。
【０１１０】
１次セルは、１次周波数で動作するセルを意味し、端末が基地局との初期接続確立過程又は接続再確立過程を実行するセル、又はハンドオーバ過程で１次セルとして指示されたセルを意味する。
【０１１１】
２次セルは、２次周波数で動作するセルを意味し、ＲＲＣ接続が確立されると設定され、追加的な無線リソースを提供するときに使われる。
【０１１２】
サービス提供セルは、搬送波集約が設定されない、又は搬送波集約を提供することができない端末である場合には１次セルで構成される。搬送波集約が設定された場合、サービス提供セルという用語は、１次セル及びすべての２次セルのうち一個又は複数のセルで構成された集約を示すときに使われる。
【０１１３】
一つの端末に対して設定されたサービス提供セルの集約は、一つの１次セルだけで構成され、又は一つの１次セルと少なくとも一つの２次セルとで構成することができる。
【０１１４】
１次コンポーネント搬送波（ＰＣＣ）は、１次セルに対応するＣＣを意味する。ＰＣＣは、端末が複数のＣＣのうち、基地局と初期接続（又はＲＲＣ接続）するＣＣである。ＰＣＣは、複数のＣＣに関する信号通知のための接続を担当し、端末と関連した接続情報である端末コンテキスト情報を管理する特別なＣＣである。また、ＰＣＣは、端末と接続されてＲＲＣ接続状態の場合には常に活性状態で存在する。１次セルに対応するダウンリンクコンポーネント搬送波をダウンリンク１次コンポーネント搬送波（ＤＬ ＰＣＣ）といい、１次セルに対応するアップリンクコンポーネント搬送波をアップリンク１次コンポーネント搬送波（ＵＬ ＰＣＣ）という。
【０１１５】
２次コンポーネント搬送波（ＳＣＣ）は、２次セルに対応するＣＣを意味する。すなわち、ＳＣＣは、ＰＣＣ以外に端末に割り当てられたＣＣであり、端末がＰＣＣ以外に追加的なリソース割当などのために拡張された搬送波であり、活性又は不活性状態に分けることができる。２次セルに対応するダウンリンクコンポーネント搬送波をダウンリンク２次コンポーネント搬送波（ＤＬ ＳＣＣ）といい、２次セルに対応するアップリンクコンポーネント搬送波をアップリンク２次コンポーネント搬送波（ＵＬ ＳＣＣ）という。
【０１１６】
１次セル及び２次セルは、次のような特徴を有する。
【０１１７】
第１に、１次セルは、ＰＵＣＣＨの送信のために使われる。第２に、１次セルは、常に活性化されている一方、２次セルは、特定条件によって活性化／不活性化される搬送波である。第３に、１次セルが無線リンク障害（以下、ＲＬＦという）になったときは、ＲＲＣ再接続が起動（ｔｒｉｇｇｅｒ）されるが、２次セルがＲＬＦになったときは、ＲＲＣ再接続は起動されない。第４に、１次セルは、セキュリティキー変更又はランダム接続チャネル（ＲＡＣＨ）手順を伴うハンドオーバ手順によって変更することができる。第５に、非接続層（ＮＡＳ）情報は、１次セルを介して受信される。第６に、いつも１次セルはＤＬ ＰＣＣとＵＬ ＰＣＣとが対で構成される。第７に、端末毎に異なるコンポーネント搬送波（ＣＣ）を１次セルで設定することができる。第８に、２次セルの再設定（ｒｅｃｏｎｆｉｇｕｒａｔｉｏｎ）、追加及び除去のような手順は、ＲＲＣ階層によって実行することができる。新規２次セルの追加において、専用（ｄｅｄｉｃａｔｅｄ）２次セルのシステム情報の送信にＲＲＣ信号通知を使うことができる。
【０１１８】
サービス提供セルを構成するコンポーネント搬送波は、ダウンリンクコンポーネント搬送波が一つのサービス提供セルを構成することもできるし、ダウンリンクコンポーネント搬送波とアップリンクコンポーネント搬送波とが接続設定されて一つのサービス提供セルを構成することもできる。しかし、一つのアップリンクコンポーネント搬送波だけではサービス提供セルを構成できない。
【０１１９】
コンポーネント搬送波の活性化／不活性化は、サービス提供セルの活性化／不活性化の概念と同様である。例えば、サービス提供セル１がＤＬ ＣＣ １で構成されていると仮定すると、サービス提供セル１の活性化はＤＬ ＣＣ １の活性化を意味する。サービス提供セル２がＤＬ ＣＣ ２とＵＬ ＣＣ ２が接続設定されて構成されていると仮定すると、サービス提供セル２の活性化はＤＬ ＣＣ ２とＵＬ ＣＣ ２の活性化を意味する。このような意味で、各コンポーネント搬送波はセルに対応する。
【０１２０】
図１２は、単一搬送波システムと複数搬送波システムとの比較例を示す。
【０１２１】
図１２（ａ）のような単一搬送波システムでは、アップリンク及びダウンリンクに一つの搬送波だけを端末にサポートする。搬送波の帯域幅は多様であるが、端末に割り当てられる搬送波は一つである。一方、図１２（ｂ）のような複数搬送波システムでは、端末に複数のコンポーネント搬送波（ＤＬ ＣＣ Ａ乃至Ｃ、ＵＬ ＣＣ Ａ乃至Ｃ）を割り当てることができる。例えば、端末に６０ＭＨｚの帯域幅を割り当てるために、３個の２０ＭＨｚのコンポーネント搬送波を割り当てることができる。図１２（ｂ）において、ＤＬ ＣＣとＵＬ ＣＣが各々３個あるが、ＤＬ ＣＣ及びＵＬ ＣＣの個数に制限があるものではない。各ＤＬ ＣＣでＰＤＣＣＨ及びＰＤＳＣＨが独立に送信され、各ＵＬ ＣＣでＰＵＣＣＨ及びＰＵＳＣＨが独立に送信される。ＤＬ ＣＣ−ＵＬ ＣＣ対が３個定義されるため、端末は３個のサービス提供セルからサービスの提供を受けると言ってもよい。
【０１２２】
端末は、複数のＤＬ ＣＣでＰＤＣＣＨを監視し、複数のＤＬ ＣＣを介して同時にダウンリンクトランスポートブロックを受信することができる。端末は、複数のＵＬ ＣＣを介して同時に複数のアップリンクトランスポートブロックを送信することができる。
【０１２３】
複数搬送波システムでＣＣスケジュールは、二つの方法が可能である。
【０１２４】
第１の方法は、一つのＣＣでＰＤＣＣＨ−ＰＤＳＣＨ対が送信されることである。このＣＣを自己スケジュールという。また、これは、ＰＵＳＣＨが送信されるＵＬ ＣＣは該当するＰＤＣＣＨが送信されるＤＬ ＣＣにリンクされたＣＣであることを意味する。すなわち、ＰＤＣＣＨは、同じＣＣ上でＰＤＳＣＨリソースを割り当てたり、リンクされたＵＬ ＣＣ上でＰＵＳＣＨリソースを割り当てたりするものである。
【０１２５】
第２の方法は、ＰＤＣＣＨが送信されるＤＬ ＣＣと関係なしに、ＰＤＳＣＨが送信されるＤＬ ＣＣ又はＰＵＳＣＨが送信されるＵＬ ＣＣを決めることである。すなわち、ＰＤＣＣＨとＰＤＳＣＨとが別個のＤＬ ＣＣで送信されたり、ＰＤＣＣＨが送信されたＤＬ ＣＣと連携しないＵＬ ＣＣを介してＰＵＳＣＨが送信されたりする。これを交差搬送波（ｃｒｏｓｓ−ｃａｒｒｉｅｒ）スケジュールという。ＰＤＣＣＨが送信されるＣＣをＰＤＣＣＨ搬送波、監視搬送波又はスケジュール(ｓｃｈｅｄｕｌｉｎｇ)搬送波といい、ＰＤＳＣＨ／ＰＵＳＣＨが送信されるＣＣを、ＰＤＳＣＨ／ＰＵＳＣＨ搬送波又はスケジュールされた（ｓｃｈｅｄｕｌｅｄ）搬送波という。
【０１２６】
図１３は、交差搬送波スケジュールの例を示す。
【０１２７】
図１３を参照すると、端末にＤＬ ＣＣ Ａ、ＤＬ ＣＣ Ｂ、ＤＬ ＣＣ Ｃのように３個のダウンリンクコンポーネント搬送波が設定されており、このうちＤＬ ＣＣ Ａが、端末がＰＤＣＣＨを監視する監視ＣＣである。端末は、ＤＬ ＣＣ ＡのＰＤＣＣＨでＤＬ ＣＣ Ａ、ＤＬ ＣＣ Ｂ、ＤＬ ＣＣ Ｃに対するダウンリンク制御情報（ＤＣＩ）を受信し、ＤＣＩにはＣＩＦが含まれているため、端末は、いずれのＤＬ ＣＣに対するＤＣＩかを識別することができる。監視ＣＣはＤＬ ＰＣＣであり、このような監視ＣＣは、端末特定又は端末グループ特定で設定することができる。
【０１２８】
ＬＴＥ−Ａのような複数搬送波システムがＴＤＤで動作する場合、端末には複数のサービス提供セル、すなわち、複数のＣＣを設定することができる。端末は、複数のＣＣを介して複数のＰＤＳＣＨを受信し、複数のＰＤＳＣＨに対するＡＣＫ／ＮＡＣＫを特定ＵＬ ＣＣを介して送信することができる。この場合、一つのＵＬサブフレームで同時に送信しなければならないＡＣＫ／ＮＡＣＫの情報量は、集約されたＤＬ ＣＣの数に比例して増加する。ＡＣＫ／ＮＡＣＫを送信するために使われるＰＵＣＣＨフォーマットの容量限界と、ＵＬチャネル状況とによって送信することができるＡＣＫ／ＮＡＣＫ情報量に制限が発生することがある。これを克服するための一つ方法は、ＡＣＫ／ＮＡＣＫをデータユニット（例えば、符号語やＰＤＳＣＨ）ごとに個別に送らずにバンドルして送ることである。例えば、端末がＤＬサブフレーム１で符号語０、符号語１を受信する場合、それぞれの符号語に対するＡＣＫ／ＮＡＣＫ情報を送るのではなく、符号語０、符号語１を全部成功裏に復号した場合にはＡＣＫを送り、それ以外の場合にはＮＡＣＫ／ＤＴＸを送るようにバンドルされる。
【０１２９】
本発明では、端末が基地局にＡＣＫ／ＮＡＣＫを送信する方式として、ＰＵＣＣＨリソース選択に基づくチャネル選択方式と、ブロック拡散に基づくＰＵＣＣＨフォーマット３とを適用する場合、複数搬送波システムでどのようにＡＣＫ／ＮＡＣＫを送信するかに対して説明する。以下、一つのＡＣＫ／ＮＡＣＫが一つの符号語に対する受信成功可否を示す場合を例示するが、これは制限されるものではない。すなわち、一つのＡＣＫ／ＮＡＣＫは、ＡＣＫ／ＮＡＣＫ応答を要求するＰＤＣＣＨに対するものであってもよい。このようなＰＤＣＣＨとして準永続スケジュール（ＳＰＳ）ＰＤＣＣＨがある。
【０１３０】
図１４は、本発明の一実施例に係るＡＣＫ／ＮＡＣＫ送信方法を示す。
【０１３１】
図１４を参照すると、端末は、複数の符号語を受信する（Ｓ１００）。ＴＤＤで、端末は、一つの無線フレーム内でＭ（Ｍは、自然数）個のＤＬサブフレームを介して複数の符号語を受信することができる。各ＤＬサブフレームでは１個又は２個の符号語を受信することができる。
【０１３２】
端末は、受信した複数の符号語の各々の復号成功可否によってＡＣＫ／ＮＡＣＫ情報を生成した後、ＡＣＫ／ＮＡＣＫ情報に１次バンドル方式を適用する（Ｓ２００）。１次バンドル方式は‘ＣＣ内空間バンドル方式’である。ＣＣ内空間バンドル方式とは、特定ＣＣ内で一つのＤＬサブフレームで受信した複数の符号語に対してバンドルを実行することを意味する。
【０１３３】
例えば、端末にＤＬ ＣＣ ０、ＤＬ ＣＣ １、ＤＬ ＣＣ ２が設定されていると仮定する。このとき、ＤＬ ＣＣ １を複数の符号語送信モード（すなわち、ＭＩＭＯモード）に設定することができる。それによって、端末は、ＤＬ ＣＣ １の各ＤＬサブフレームで２個の符号語を受信することができる。端末は、一つのＤＬサブフレームで受信した２個の符号語に対して２ビットＡＣＫ／ＮＡＣＫ情報を生成した後、各ビットのＡＮＤ演算によって１ビットＡＣＫ／ＮＡＣＫ情報を生成することができる。すなわち、２個の符号語を全部受信成功した場合にはＡＣＫ、その以外の場合にはＮＡＣＫとなる。このような方法によってバンドルすることをＣＣ内空間バンドルという。端末は、１次バンドル方式を常に適用することができる。又は、端末は、ＡＣＫ／ＮＡＣＫを送信する方式の最大送信量よりＡＣＫ／ＮＡＣＫ情報量が大きい場合に限って１次バンドルを適用することができる。
【０１３４】
端末は、１次バンドル方式によってバンドルされたＡＣＫ／ＮＡＣＫの情報量が最大送信量より大きいかどうかを判断する（Ｓ３００）。例えば、ＬＴＥ−Ａの場合、ＰＵＣＣＨリソース選択に基づくチャネル選択方式で最大で送信することができるＡＣＫ／ＮＡＣＫビットは４ビットである。端末は、バンドルされたＡＣＫ／ＮＡＣＫビットが４ビットより大きいかどうかを判断する。
【０１３５】
又は、ＰＵＣＣＨフォーマット３を利用してＡＣＫ／ＮＡＣＫを送信する場合、最大で送信することができるＡＣＫ／ＮＡＣＫビットは２０ビットである。このような場合、端末は、バンドルされたＡＣＫ／ＮＡＣＫビットが２０ビットより大きいかどうかを判断する。
【０１３６】
バンドルされたＡＣＫ／ＮＡＣＫの情報量が最大送信量より大きい場合、追加的なバンドル方式を適用する（Ｓ４００）。追加的なバンドル方式は、ＣＣ間周波数領域バンドル方式、時間領域でのバンドル方式、上記２個のバンドル方式の組合せなどがある。
【０１３７】
ＣＣ間周波数領域バンドル方式とは、端末に設定された別個のＣＣの同じサブフレームで受信した複数の符号語に対するＡＣＫ／ＮＡＣＫをバンドルすることを意味する。例えば、端末にＤＬ ＣＣ ０、ＤＬ ＣＣ １が設定されている場合を仮定する。基地局がＤＬ ＣＣ ０のＤＬサブフレームＮで２個の符号語、ＤＬ ＣＣ １のＤＬサブフレームＮで１個の符号語を送信することができる。このとき、端末は、上記３個の符号語に対する３ビットＡＣＫ／ＮＡＣＫ情報に対してバンドルを実行することで、１ビットＡＣＫ／ＮＡＣＫ情報を生成することができる。すなわち、３個の符号語の全部を受信成功した場合にはＡＣＫを生成し、それ以外の場合にはＮＡＣＫを生成する。又は、ＤＬ ＣＣ ０のＤＬサブフレームＮでの２個の符号語に対してＣＣ内空間バンドルを実行したＡＣＫ／ＮＡＣＫ情報と、ＤＬ ＣＣ １のＤＬサブフレームＮでの１個の符号語に対するＡＣＫ／ＮＡＣＫ情報と、をバンドルすることもできる。ＣＣ間周波数領域バンドル方式は、全部のＤＬサブフレームに対して適用することもできるし、決められた規則によって一部のＤＬサブフレームに対してだけ適用することもできる。
【０１３８】
時間領域でのバンドルとは、端末が別個のＤＬサブフレームで受信したデータユニットに対するＡＣＫ／ＮＡＣＫに対してバンドルを実行することを意味する。例えば、端末にＤＬ ＣＣ ０、ＤＬ ＣＣ １が設定されており、ＤＬ ＣＣ ０は２個の符号語を受信することができるＭＩＭＯモード、ＤＬ ＣＣ １は１個の符号語を受信することができる単一符号語送信モードと仮定する。端末がＤＬ ＣＣ ０のＤＬサブフレーム１で符号語０、符号語１を成功裏に受信し、ＤＬ ＣＣ ０のＤＬサブフレーム２で符号語０のみを成功裏に受信した場合、端末は、符号語０に対してはＡＣＫ、符号語１に対してはＮＡＣＫを生成することができる。すなわち、別個のＤＬサブフレームで受信した符号語別にＡＣＫ／ＮＡＣＫバンドルを実行する。
【０１３９】
又は、上記例で、端末は、ＤＬ ＣＣ ０のＤＬサブフレーム１に対してはＡＣＫを生成し、ＤＬサブフレーム２に対してはＮＡＣＫを生成した後、最終的にＤＬサブフレーム１、２に対してＮＡＣＫを生成することもできる。このような方法は、まず、各ＤＬサブフレームにＣＣ内空間バンドルを適用した後、時間領域でのバンドルを適用する場合である。
【０１４０】
前述した１次バンドル方式及び追加的なバンドル方式を適用する具体的な例については、以下、図面を参考して説明する。
【０１４１】
追加的なバンドル方式によって追加的にバンドルされたＡＣＫ／ＮＡＣＫ情報量が最大送信量より大きいかどうかを判断し、もし、最大送信量より依然として大きい場合、再び追加的なバンドル方式を適用する（Ｓ４００）。
【０１４２】
もし、追加的なバンドル方式によってバンドルされたＡＣＫ／ＮＡＣＫ情報量が最大送信量の以下の場合、バンドルされたＡＣＫ／ＮＡＣＫを送信する（Ｓ５００）。この場合、ＰＵＣＣＨリソース選択に基づくチャネル選択方式又はブロック拡散方式のＰＵＣＣＨフォーマット３を利用することができる。
【０１４３】
以下、端末がＡＣＫ／ＮＡＣＫを送信する方式によってＡＣＫ／ＮＡＣＫ情報をバンドルする方法について説明する。
【０１４４】
１．ＴＤＤでＰＵＣＣＨリソース選択に基づくチャネル選択方式（以下、チャネル選択方式と略称する）を使用する場合のＡＣＫ／ＮＡＣＫバンドル方法
【０１４５】
ＬＴＥ−Ａシステムでは、最大４ビットのＡＣＫ／ＮＡＣＫをチャネル選択方式を利用して送信することができる。ＡＣＫ／ＮＡＣＫは、符号語当たり一つずつ独立な送信が可能であるため、符号語の個数が４個を超過する場合、符号語をグループ化して符号語グループに対してＡＣＫ／ＮＡＣＫをバンドルする必要がある。
【０１４６】
［方法１−１］
【０１４７】
該当ＣＣがＭＩＭＯモードに設定されている場合、ＣＣ内空間バンドルを常に適用し、ＣＣ内空間バンドルされたＡＣＫ／ＮＡＣＫのビット数が４ビットを超過する場合、ＣＣ間周波数領域バンドルを適用する方法である。
【０１４８】
１）一つのＣＣ内、一つのＤＬサブフレームで送信されるＰＤＳＣＨに複数の符号語が存在する場合、複数の符号語に対するＡＣＫ／ＮＡＣＫをバンドルする。前述したように、これをＣＣ内空間バンドルという。ＣＣ内空間バンドルは、複数の符号語が送信されるように設定されたＣＣ、すなわち、ＭＩＭＯモードに設定されたＣＣに対して常に適用することができる。
【０１４９】
２）ＣＣ内空間バンドルを適用したＡＣＫ／ＮＡＣＫのビット数が４ビットを超過する場合、ＣＣ間周波数領域バンドルを追加的に適用する。すなわち、ＣＣ次元の空間バンドルを追加で実行する。このとき、ＣＣ間周波数領域バンドルは、すべてのサブフレームに対して適用することもできるし、予め決められた規則によってＡＣＫ／ＮＡＣＫのビット数が４ビットになるまで適用することもできる。
【０１５０】
［方法１−２］
【０１５１】
ＡＣＫ／ＮＡＣＫの対象となる符号語の個数が４個を超過する場合に限って方法１−１を適用する方法である。方法１−２は、方法１−１に対して追加的な制限条件を追加する方法である。すなわち、方法１−１では一つのＣＣで送信されるＰＤＳＣＨに複数の符号語が送信されると、ＣＣ内空間バンドルを常に適用したが、方法１−２ではＵＬサブフレームで送信するＡＣＫ／ＮＡＣＫの対象となる符号語の個数が４個より多い場合に限ってＣＣ内空間バンドルを適用し、ＣＣ内空間バンドルによってもＡＣＫ／ＮＡＣＫ情報量が４ビットを超過する場合、ＣＣ間周波数領域バンドルを適用する。
【０１５２】
図１５は、前述した方法１−１及び１−２を例示する図面である。図１５で‘ＤＬ：ＵＬ’は、一つの無線フレーム内に含まれているＤＬサブフレームとＵＬサブフレームとの比を示す。図１５で、ＤＬ ＣＣを便宜上ＣＣと表現する（以下の図面でも同様である）。
【０１５３】
図１５には、（ａ）、（ｂ）、（ｃ）３個の場合を例示する。図１５（ａ）で、ＣＣ ０、ＣＣ １は単一符号語を送信するモードに設定されている。したがって、ＣＣ内空間バンドルは適用されない。例えば、ＤＬ：ＵＬの比が３：１の場合、ＣＣ ０、ＣＣ １でＡＣＫ／ＮＡＣＫ対象となる符号語の総個数が６個である。このような場合、２番目のＤＬサブフレームに対するＣＣ ０の符号語０と、ＣＣ １の符号語０とをＣＣ間周波数領域バンドルし、３番目のＤＬサブフレームに対するＣＣ ０の符号語０と、ＣＣ １の符号語０とをＣＣ間周波数領域バンドルする。その結果、ＵＬサブフレームで送信するＡＣＫ／ＮＡＣＫビット数は総計４ビットとなる。
【０１５４】
図１５（ｂ）を参照すると、ＣＣ ０は、ＰＤＳＣＨで２個の符号語が送信されるＭＩＭＯ送信モードに設定されている。ＤＬ：ＵＬの比が３：１の場合、まず、ＣＣ ０に対する符号語０、符号語１をＣＣ内空間バンドルによってバンドルする。それによって、１番目のＤＬサブフレーム、２番目のＤＬサブフレーム、３番目のＤＬサブフレームに対してＣＣ ０、ＣＣ １に対する総ＡＣＫ／ＮＡＣＫビット数は６ビットとなる。ＡＣＫ／ＮＡＣＫビット数が４ビットを超過するため、ＣＣ間周波数領域バンドルを適用する。例えば、２番目のＤＬサブフレームでＣＣ ０の符号語０、符号語１をＣＣ内空間バンドルしたＡＣＫ／ＮＡＣＫビットと、ＣＣ １の符号語０に対するＡＣＫ／ＮＡＣＫビットと、をＣＣ間周波数領域バンドルによってバンドルする。３番目のＤＬサブフレームに対しても同様である。このような方式によって端末は、４ビットＡＣＫ／ＮＡＣＫを生成することができる。
【０１５５】
図１５（ｃ）を参照すると、ＣＣ ０、ＣＣ １が全部ＭＩＭＯモードに設定されている。ＤＬ：ＵＬの比が３：１の場合、端末は、まず、各ＣＣに対してＣＣ内空間バンドルを実行する。それによって、総計６ビットのＡＣＫ／ＮＡＣＫ情報が生成される。端末は、１番目のＤＬサブフレームでＣＣ ０の符号語０、符号語１をＣＣ内空間バンドルしたＡＣＫ／ＮＡＣＫビットと、ＣＣ １の符号語０、符号語１をＣＣ内空間バンドルしたＡＣＫ／ＮＡＣＫビットと、をＣＣ間周波数領域バンドルによってバンドルする。２番目、３番目のＤＬサブフレームに対してもこのような方式によってバンドルを実行することで、端末は、３ビットＡＣＫ／ＮＡＣＫを生成することができる。
【０１５６】
前述した方法１−１、方法１−２においては、ＡＣＫ／ＮＡＣＫ送信のために割り当てるＰＵＣＣＨリソースを、黙示的方法によって決定することができる。すなわち、各ＣＣで送信されるＰＤＳＣＨをスケジュールするためのＰＤＣＣＨのリソースインデクスに対応するＰＵＣＣＨリソースを、ＡＣＫ／ＮＡＣＫ送信のために割り当てた後、ＰＤＳＣＨに対するＡＣＫ／ＮＡＣＫによって一つのＰＵＣＣＨリソースを選択して変調シンボルを送信する。このような黙示的方法は、既存のＬＴＥ Ｒｅｌ−８のリソース割当方法を再活用することができるという長所がある。
【０１５７】
ＡＣＫ／ＮＡＣＫ送信のために割り当てるＰＵＣＣＨリソースは、明示的方法によって指示することもできる。例えば、基地局は、ＲＲＣシグナルのような上位階層信号としてＰＵＣＣＨリソースを明示的に知らせることができる。また、基地局は、追加的にＰＤＣＣＨを介してＡＣＫ／ＮＡＣＫリソース指示子（ＡＲＩ）を送信し、ＲＲＣシグナルによって指示されるＰＵＣＣＨリソースにオフセット値を与えることもできる。
【０１５８】
又は、一部のＣＣに対しては黙示的方法によってＡＣＫ／ＮＡＣＫ送信のためのＰＵＣＣＨリソースを割り当て、残りのＣＣに対しては明示的方法によってＡＣＫ／ＮＡＣＫ送信のためのＰＵＣＣＨリソースを割り当てることもできる。明示的方法によって指示されるＰＵＣＣＨリソースの個数は、一つのＵＬサブフレームに対応するＤＬサブフレームの個数と同じである。例えば、ＣＣ ０のＤＬ：ＵＬの比が４：１であり、明示的方法によってＰＵＣＣＨリソースを指示する場合、明示的ＰＵＣＣＨリソースは、４個を割り当てなければならない。
【０１５９】
以上、方法１−１、方法１−２でＣＣ内空間バンドル及びＣＣ間周波数領域バンドルを適用する例に対して説明した。以下、ＣＣ内空間バンドル及び時間領域でのバンドル方式を適用する例に対して説明する。
【０１６０】
［方法１−３］
【０１６１】
ＣＣ内空間バンドルを常に適用した後に時間領域バンドルを適用する方法である。
【０１６２】
方法１−３は、該当ＣＣがＭＩＭＯモードに設定された場合、ＣＣ内空間バンドルを常に適用し、ＣＣ内空間バンドルを実行したＡＣＫ／ＮＡＣＫのビット数が４ビットを超過する場合、時間領域バンドルを適用する。前述したように、時間領域バンドルとは、一つのＣＣ内で連続するＤＬサブフレームの符号語に対するＡＣＫ／ＮＡＣＫバンドルを実行することを意味する。時間領域バンドルを実行した後にもＡＣＫ／ＮＡＣＫのビット数が４ビットを超過する場合、ＤＬサブフレームグループに対してバンドルを実行することができる。
【０１６３】
［方法１−４］
【０１６４】
ＡＣＫ／ＮＡＣＫの対象となる符号語の個数が４個を超過する場合、ＣＣ内空間バンドルを先に適用し、連続するＤＬサブフレームに対して時間領域でのバンドルを適用する方法である。
【０１６５】
すなわち、方法１−４は、方法１−３に追加的な実行条件を追加する方法である。方法１−３は、ＣＣがＭＩＭＯモードに設定された場合、ＣＣ内空間バンドルを常に適用し、方法１−４は、ＵＬサブフレームで送信すべきＡＣＫ／ＮＡＣＫの対象となる符号語の個数が４個を超過する場合に限ってＣＣ内空間バンドル、時間領域のバンドルを適用するという相違点がある。
【０１６６】
図１６は、前述した方法１−３及び１−４を例示する図面である。
【０１６７】
図１６（ａ）で、ＣＣ ０、ＣＣ １は単一符号語を送信するモードに設定されている。したがって、ＣＣ内空間バンドルは適用されない。ＡＣＫ／ＮＡＣＫの対象となる符号語の個数が４個を超過する場合、時間領域のバンドルが適用される。例えば、ＤＬ：ＵＬの比が３：１の場合、ＵＬサブフレームで送信すべきＡＣＫ／ＮＡＣＫの対象となる符号語の総個数が６個である。このような場合、ＣＣ ０に対して２番目のＤＬサブフレームの符号語０と、３番目のＤＬサブフレームの符号語０とに対するＡＣＫ／ＮＡＣＫを時間領域でバンドルする。同様に、ＣＣ １に対して２番目のＤＬサブフレームの符号語０と、３番目のＤＬサブフレームの符号語０とに対するＡＣＫ／ＮＡＣＫを時間領域でバンドルする。その結果、ＵＬサブフレームで送信するＡＣＫ／ＮＡＣＫビット数は総計４ビットとなる。
【０１６８】
図１６（ｂ）を参照すると、ＣＣ ０は、ＰＤＳＣＨで２個の符号語が送信されるＭＩＭＯ送信モードに設定されている。ＤＬ：ＵＬの比が３：１の場合、まず、ＣＣ ０に対する符号語０、符号語１をＣＣ内空間バンドルによってバンドルする（１５１）。それによって、ＣＣ ０、ＣＣ １で１番目、２番目、３番目のＤＬサブフレームに対してＡＣＫ／ＮＡＣＫビット総数は６ビットとなる。ＡＣＫ／ＮＡＣＫビット数が４ビットを超過するため、時間領域でのバンドルを適用する。例えば、ＣＣ ０、ＣＣ １で、２番目のＤＬサブフレーム、３番目のＤＬサブフレームに対して時間領域でのバンドルを実行する（１５１、１５２）。このような方式によって、端末は、４ビットＡＣＫ／ＮＡＣＫを生成することができる。
【０１６９】
図１６（ｃ）を参照すると、ＣＣ ０、ＣＣ １がモードＭＩＭＯモードに設定されている。ＤＬ：ＵＬの比が３：１の場合、端末は、まず、各ＣＣに対してＣＣ内空間バンドルを実行する。それによって、総計６ビットのＡＣＫ／ＮＡＣＫ情報が生成される。端末は、２番目、３番目のＤＬサブフレームに対して時間領域でのバンドルを実行することで、４ビットＡＣＫ／ＮＡＣＫを生成することができる。
【０１７０】
前述した方法１−３、方法１−４においては、ＡＣＫ／ＮＡＣＫ送信のために割り当てるＰＵＣＣＨリソースは、黙示的方法又は明示的方法によって指示することができる。又は、一部のＣＣに対しては黙示的方法によってＡＣＫ／ＮＡＣＫ送信のためのＰＵＣＣＨリソースを割り当て、残りのＣＣに対しては明示的方法によってＡＣＫ／ＮＡＣＫ送信のためのＰＵＣＣＨリソースを割り当てることもできる。明示的方法によって指示されるＰＵＣＣＨリソースの個数は、一つのＵＬサブフレームに対応するバンドルされるＤＬサブフレームグループの個数と同じである。例えば、ＣＣ ０のＤＬ：ＵＬの比が４：１であり、時間領域で２個のＤＬサブフレームがバンドルされる場合、バンドルされるＤＬサブフレームグループは２個となる。このとき、明示的方法によってＰＵＣＣＨリソースを指示する場合、明示的ＰＵＣＣＨリソースは２個割り当てられる。したがって、方法１−１、方法１−２に比べてＡＣＫ／ＮＡＣＫ送信のために割り当てるべきＰＵＣＣＨリソースの個数を減らすことができる。
【０１７１】
２．ＴＤＤでＰＵＣＣＨフォーマット３を利用してＡＣＫ／ＮＡＣＫを送信する場合のＡＣＫ／ＮＡＣＫバンドル方法
【０１７２】
ＬＴＥ−ＡシステムではＰＵＣＣＨフォーマット３が導入された。ＰＵＣＣＨフォーマット３は、最大２０ビットのＡＣＫ／ＮＡＣＫビットを送信することができる。ＡＣＫ／ＮＡＣＫは、符号語当たり一つのビットが割り当てることができ、一つのＵＬサブフレームに対応するＤＬサブフレームの符号語の総個数が２０個を超過する場合、ＡＣＫ／ＮＡＣＫバンドルを使うことができる。又は、チャネル状況によってＰＵＣＣＨフォーマット３で送信することができるビット数が２０ビット以下に制限される場合、符号語の総個数が２０個を超過しなくてもＡＣＫ／ＮＡＣＫバンドルを使うことができる。
【０１７３】
［方法２−１］
【０１７４】
端末に設定されたＣＣがＭＩＭＯ送信モードである場合、ＣＣ内空間バンドルを常に適用し、ＣＣ内空間バンドルされたＡＣＫ／ＮＡＣＫのビット数が最大送信量を超過する場合、ＣＣ間周波数領域バンドルを適用する方法である。
【０１７５】
ＣＣ間周波数領域バンドルは、すべてのサブフレームに対して適用したり、予め決められた規則によって一部のサブフレームにのみ適用したりすることもできる。また、ＣＣ間周波数領域バンドルは、一部のＣＣに対してだけ適用することができる。例えば、ＰＣＣにはＣＣ間周波数領域バンドルが適用されず、ＳＣＣのうち搬送波指示フィールド（ＣＩＦ）値によって適用することができる。
【０１７６】
［方法２−２］
【０１７７】
ＵＬサブフレームで送信すべきＡＣＫ／ＮＡＣＫの対象となる符号語の個数が特定値を超過する場合に限ってＣＣ内空間バンドルを適用し、ＣＣ間周波数領域バンドルを適用する方法である。この特定値は、ＰＵＣＣＨフォーマット３を適用する場合、２０である。以下、ＰＵＣＣＨフォーマット３を介して最大送信することができるＡＣＫ／ＮＡＣＫビットがＸビットと仮定する。もちろん、Ｘの値は２０であるが、これに限定されるものではない。
【０１７８】
図１７は、前述した方法２−１及び２−２を例示する図面である。図１７で、‘ＤＬ：ＵＬ’は４：１と仮定する。ＣＣ ０乃至ＣＣ ４は、全部ＭＩＭＯモードに設定されている。
【０１７９】
図１７（ａ）、（ｂ）で、各ＣＣに対しＣＣ内空間バンドルを適用する。ＣＣ内空間バンドルされたＡＣＫ／ＮＡＣＫ情報量がＸビットより大きい場合にはＣＣ間周波数領域バンドルを適用する（一例として、１６１）。ＣＣ間周波数領域バンドルは、ＣＣインデクス（すなわち、ＣＩＦ）が隣接する２個のＣＣに対して実行することができる。又は、ＰＣＣを除いて複数のＳＣＣに対してだけ実行することもできる。このようなＣＣ間周波数領域バンドルによってもＡＣＫ／ＮＡＣＫ情報量がＸビットを超過する場合、ＣＣグループに対してＣＣ間周波数領域バンドルを実行することができる（一例として、１６３）。このような方法によって生成されたバンドルされたＡＣＫ／ＮＡＣＫビット列は、ＰＵＣＣＨフォーマット３を利用して送信することができる。
【０１８０】
［方法２−３］
【０１８１】
端末に設定されたＣＣがＭＩＭＯモードに設定された場合、ＣＣ内空間バンドルを常に適用した後、時間領域バンドルを適用する方法である。
【０１８２】
時間領域のバンドルは、ＣＣ内空間バンドルの結果生成されるＡＣＫ／ＮＡＣＫ情報量が、ＰＵＣＣＨフォーマット３によって送信することができる情報量Ｘビットを超過する場合に限って実行することができる。
【０１８３】
時間領域のバンドルは、連続するＮ（Ｎは、２以上の自然数）個のＤＬサブフレームに対して実行することができる。このとき、時間領域のバンドルは、バンドルされたＡＣＫ／ＮＡＣＫの情報量がＰＵＣＣＨフォーマット３のＡＣＫ／ＮＡＣＫの最大送信量であるＸビット以下になるまで順次実行することができる。例えば、ＤＬ：ＵＬの比が４：１の場合を仮定する。このとき、端末がＣＣ ０乃至ＣＣ ４のＤＬサブフレーム０乃至３で符号語を受信することができる。このような場合、ＤＬサブフレーム２、ＤＬサブフレーム３に対して時間領域のバンドルを実行したにもかかわらず、ＡＣＫ／ＮＡＣＫ情報量がＸビットを超過する場合、ＤＬサブフレーム０、ＤＬサブフレーム１に対して時間領域のバンドルを実行することができる。
【０１８４】
また、時間領域のバンドルは、端末に設定されたすべてのＣＣに対して実行したり、一部のＣＣに対してだけ実行したりすることができる。例えば、時間領域のバンドルの適用優先順位は、ＳＣＣ、ＰＣＣの順序にしてもよい。
【０１８５】
［方法２−４］
【０１８６】
方法２−４は、前述した方法２−３をＡＣＫ／ＮＡＣＫの対象となる符号語の個数がＸを超過する場合に限って適用する方法である。
【０１８７】
図１８は、前述した方法２−３及び２−４を例示する図面である。図１８で、‘ＤＬ：ＵＬ’は４：１と仮定する。ＣＣ ０乃至ＣＣ ４は、全部ＭＩＭＯモードに設定されている。
【０１８８】
まず、端末は、すべてのＣＣでＣＣ内空間バンドルを適用する（例えば、１７１）。このようなＣＣ内空間バンドルによって生成されるＡＣＫ／ＮＡＣＫの情報量をＰＵＣＣＨフォーマット３の最大送信量Ｘビットと比較してＸビットより大きい場合、時間領域のバンドルを実行する（例えば、１７２）。時間領域のバンドルは、バンドルされたＡＣＫ／ＮＡＣＫ情報量がＸビット以下になるまで追加的に実行することができる（例えば、１７３、１７４）。
【０１８９】
［方法２−５］
【０１９０】
端末は、ＣＣがＭＩＭＯモードに設定されて複数の符号語を受信する場合、ＣＣ内空間バンドルを常に適用し、その結果によるバンドルされたＡＣＫ／ＮＡＣＫのビット数がＰＵＣＣＨフォーマット３の最大送信量を超過する場合、ＲＲＣで信号通知されたバンドルグループに対して追加的にバンドルを実行することができる。ここで、バンドルグループは、ＣＣ次元で複数のＣＣ、時間次元で複数のサブフレームに指定することができる。このような方法２−５は、ＡＣＫ／ＮＡＣＫの対象となる符号語の個数がＰＵＣＣＨフォーマット３の最大送信量を超過する場合に限って適用することができる。
【０１９１】
前述した方法１−１乃至２−５において、ＣＣ間周波数領域バンドル及び時間領域でのバンドルを適用するとき、基地局が送信したＰＤＣＣＨのうち一部を端末が受信することができない場合が発生することがある。このような場合、端末は、ＡＣＫ／ＮＡＣＫバンドルの対象となる符号語の個数を誤って認識することがある。このようなエラーを防止するために、基地局は、ＰＤＣＣＨにＤＡＩを含めて送信する。従来、ＴＤＤでは端末が受信した最後のＰＤＣＣＨに対応するＰＵＣＣＨリソースを使用してＡＣＫ／ＮＡＣＫを送信し、基地局は、端末が最後に受信したＰＤＣＣＨを間接的に知ることができた。しかし、前述した方法１−１乃至２−５では、このような方法を使用することができない。したがって、エラー発生を防止するために、ＤＡＩにカウンタ値でないＵＬサブフレームに対応するＰＤＳＣＨをスケジュールするＰＤＣＣＨの総個数、又はＵＬサブフレームに対応するＰＤＳＣＨの総個数を知らせてもよい。このようなＤＡＩを利用し、端末は、受信すべきＰＤＣＣＨの個数、又はＰＤＳＣＨの個数を知ることができるため、ＡＣＫ／ＮＡＣＫバンドル時に発生するエラーを防止することができる。
【０１９２】
方法１−３、方法１−４、方法２−３、方法２−４のように隣接した２個のＤＬサブフレームに対して時間領域のバンドルが実行される場合、ＤＡＩは、１ビット情報だけでカウンタ値を知らせることができる。既存ＤＡＩは２ビットで構成されるため、残りの１ビットは最後のＰＤＣＣＨかどうかを示す指示子として使用することができる。又は、残りの１ビットは、ＡＲＩのような他の用途で使用してもよい。
【０１９３】
前述した方法において、時間領域のバンドルは必ずＣＣ内空間バンドルを実行した後に実行されなければならないものではない。すなわち、ＣＣ内空間バンドルを実行せずに符号語別に時間領域バンドルを実行することも可能である。
【０１９４】
また、２個のＤＬサブフレームに対して時間領域のバンドルを実行する場合、２ビットＤＡＩは符号語別総合を知らせる用途で使われることがある。それによって、符号語０に対するＤＡＩ値は１又は２となり、符号語１に対するＤＡＩ値は０、１、２のうちいずれか一つである。符号語１は、送信されない場合も存在するため、符号語１に対するＤＡＩは‘０’値を有することもできる。符号語別に１ビットＤＡＩを使用する場合、符号語０に対する１ビットＤＡＩは１又は２を指示し、符号語１に対するＤＡＩは（０,２）又は１を指示する。例えば、１ビットＤＡＩの値が０の場合、符号語１の個数は０個又は２個を指示し、１ビットＤＡＩの値が１の場合、符号語１の個数が１個であることを指示することができる。このとき、符号語１の個数が０個か２個かは、スケジュール過程で区分することができるため、重複してマップしてもよい。
【０１９５】
又は、ＤＡＩは、一つのＣＣで時間領域バンドルされる２個のＤＬサブフレームに対して総符号語の個数を知らせることも可能である。
【０１９６】
もし、ＣＣ内空間バンドルのみ使用する場合には、ＤＡＩは、カウンタ値又は総個数を知らせる必要がないため、他の用途で活用することができる。例えば、ＤＡＩは、ＡＲＩ専用とすることができる。
【０１９７】
図１９は、ＡＣＫ／ＮＡＣＫをＰＵＣＣＨフォーマット３で送信するとき、従来の方法及び本発明を適用した一例を示す。
【０１９８】
図１９を参照すると、端末に３個のＣＣ、すなわち、ＣＣ＃０、ＣＣ＃１、ＣＣ＃２をＤＬ ＣＣで割り当てることができる。各ＣＣは、全部ＭＩＭＯモードに設定されている。そして、４個のＤＬサブフレームで受信した符号語に対して一つのＵＬサブフレームでＡＣＫ／ＮＡＣＫを送信する場合を仮定する。それによって、端末は、ＣＣ＃０乃至ＣＣ＃２のＤＬサブフレーム＃１乃至ＤＬサブフレーム＃４で、最大２４個の符号語を受信することができる。
【０１９９】
このような状況で、端末は、ＣＣ＃０乃至ＣＣ＃２のＤＬサブフレーム＃１乃至ＤＬサブフレーム＃４で、実際には総１４個の符号語だけを受信することができる。このような場合、従来の方法は、図１９（ａ）に図示したように、ＣＣ内空間バンドルを全部適用して、総計１２ビットのＡＣＫ／ＮＡＣＫをＰＵＣＣＨフォーマット３を介して送信する。
【０２００】
一方、本発明では、図１９（ｂ）のように、ＡＣＫ／ＮＡＣＫに対してＣＣ内空間バンドルを順次適用し、バンドルされたＡＣＫ／ＮＡＣＫが２０ビットに到達すると、ＣＣ内空間バンドルをこれ以上実行しない。例えば、ＳＣＣ（ＣＣ＃２）に対し、まず、ＣＣ内空間バンドルを適用し、バンドルされたＡＣＫ／ＮＡＣＫが２０ビットになると、残りのＳＣＣ（ＣＣ＃１）及びＰＣＣに対してはＣＣ内空間バンドルを適用しない。したがって、端末は、より正確なＡＣＫ／ＮＡＣＫ情報を基地局にフィードバックすることができる。
【０２０１】
ここで、ＣＣ内空間バンドル適用単位は、ＰＤＳＣＨ単位（すなわち、個別ＰＤＳＣＨ単位に適用）、ＣＣ単位（すなわち、同じＣＣ内のすべてのＰＤＳＣＨに適用）、又はサブフレーム単位（すなわち、同じサブフレーム内のすべてのＰＤＳＣＨに適用）である。
【０２０２】
一方、ＣＣ内空間バンドル適用順序は、予め決められた（又は設定された）ＣＣ順に適用することができる。（例えば、ＣＣ単位のバンドルの場合、一つのＣＣに対するバンドル適用可否を判断した後、次のＣＣのバンドル適用可否を判断することができる。）このとき、ＰＣＣ以外の他のＣＣにスケジュールされる場合より、ＰＣＣのＰＤＳＣＨのスケジュールが頻繁に発生する可能性が大きいため、ＰＣＣで送信される符号語の個別のＡＣＫ／ＮＡＣＫをできるだけ維持する方がデータ送信効率に有利である。したがって、好ましくは、ＰＣＣに対するＣＣ内空間バンドルは最後に適用するようにする。一例として、ＣＣを指示するインデクス（すなわち、ＰＤＣＣＨに含まれるＣＩＦ）の値がＰＣＣを指示する場合に０であり、ＳＣＣを指示する場合に１,２．．．の順に与えられる場合、インデクス値が０であるＰＣＣに対して最後にＣＣ内空間バンドルすることができる。このために、インデクスが大きいＣＣからＣＣ内空間バンドル適用可否を順に判断し始める。すなわち、ＣＩＦの値が最も大きいＳＣＣからＣＩＦの値が最も小さいＰＣＣの順序に、ＣＣ内空間バンドルを順次実行することができる。
【０２０３】
他の例として、ＣＣ内空間バンドルが必要な場合、ＳＣＣ全体にＣＣ内空間バンドルを先に適用し、以後にも最大送信量値を超過する場合に限ってＰＣＣにＣＣ内空間バンドルを適用する方法も考慮することができる。又は、ＣＣごとにＣＣ内空間バンドル適用可否を設定する方法を考慮することができる。
【０２０４】
前述した方法では、一つのＵＬサブフレームに対応するＤＬサブフレームの個数によって適用可否が決定することもある。例えば、ＤＬ：ＵＬの比がＭ：１と仮定する。Ｍが１の場合、ＤＬサブフレームとＵＬサブフレームが１：１となる。したがって、ＡＣＫ／ＮＡＣＫをバンドルして送信する必要がない。したがって、端末は、Ｍの値が１かどうかによってＡＣＫ／ＮＡＣＫバンドル適用可否を決定することもできる。すなわち、Ｍが１より大きい自然数である場合には前述した方法１−１乃至２−５を適用し、Ｍが１の場合にはＦＤＤで使用するＡＣＫ／ＮＡＣＫ送信方法又は従来の方法を使用することができる。例えば、図１５、１６に示すように、２個のＣＣが設定された場合、Ｍ＝１の場合、ＡＣＫ／ＮＡＣＫの数が４を超えないため、ＣＣ内空間バンドルが使われず、Ｍ＝２の場合、ＣＣ内空間バンドルが適用され、Ｍ＝３以上である場合、ＣＣ内空間バンドル以外の追加的なバンドルが使われる。
【０２０５】
又は、Ｍ＝１の場合前述した方法１−１、方法１−２、方法１−３、方法１−４を使用し、Ｍが１より大きい場合には方法２−１、２−２、２−３、２−４、２−５を使用することも可能である。Ｍ＝１の場合、ＡＣＫ／ＮＡＣＫバンドルが適用されないため、ＤＡＩを他の用途で使用することができる。ＤＡＩはＡＲＩとして使うことができる。
【０２０６】
又は、Ｍが１より大きい場合にはＣＣ内空間バンドルを自動的に実行し、Ｍが１の場合にはＣＣ内空間バンドルを実行しないように、ＣＣ内空間バンドルのＯＮ／ＯＦＦ方式を使用することができる。この方式は、ＰＵＣＣＨリソース選択に基づくチャネル選択方法に適用することができる。
【０２０７】
図２０は、ＡＣＫ／ＮＡＣＫをＰＵＣＣＨリソース選択に基づくチャネル選択方法で送信するとき、従来の方法及び本発明を適用した一例を示す。
【０２０８】
図２０を参照すると、端末がチャネル選択方式を介してＡＣＫ／ＮＡＣＫを送信する場合、Ｍ、すなわち、ＵＬサブフレームに対応されるＤＬサブフレームの個数に基づいてＣＣ内空間バンドル適用可否を決定する。すなわち、図２０（ａ）は、Ｍの値が２の場合であり、ＣＣ内空間バンドルを適用し、図２０（ｂ）は、Ｍ＝１の場合であり、ＣＣ内空間バンドルを適用しない。図２０（ａ）で、Ｍが２の場合を例示したが、これは制限されるものではなく、Ｍが３、４、９の場合にもＣＣ内空間バンドルを適用することができる。
【０２０９】
図２１は、本発明の実施例が具現される基地局及び端末を示すブロック図である。
【０２１０】
基地局１００は、プロセッサ１１０、メモリ１２０及びＲＦ部１３０を含む。プロセッサ１１０は、提案された機能、過程及び／又は方法を具現する。無線インタフェースプロトコルの階層は、プロセッサ１１０によって具現することができる。プロセッサ１１０は、端末にＡＣＫ／ＮＡＣＫ送信方式を知らせ、複数のサービス提供セルを介して複数のＰＤＳＣＨを送信することができる。各ＰＤＳＣＨでは送信モードによって１個又は２個の符号語を送信することができる。また、端末から複数のＰＤＳＣＨに対するＡＣＫ／ＮＡＣＫを受信することができる。メモリ１２０は、プロセッサ１１０と接続され、プロセッサ１１０を駆動するための多様な情報を記憶する。ＲＦ部１３０は、プロセッサ１１０と接続され、無線信号を送信及び／又は受信する。
【０２１１】
端末２００は、プロセッサ２１０、メモリ２２０及びＲＦ部２３０を含む。プロセッサ２１０は、提案された機能、過程及び／又は方法を具現する。無線インタフェースプロトコルの階層は、プロセッサ２１０によって具現することができる。プロセッサ２１０は、複数のサービス提供セルを介して複数の符号語を受信し、複数の符号語の各々に対する受信確認を示すＡＣＫ／ＮＡＣＫ情報を生成する。生成されたＡＣＫ／ＮＡＣＫ情報は、バンドルするステップを経て送信される。このとき、バンドルするステップは、生成されたＡＣＫ／ＮＡＣＫ情報の一部又は全部を予め決められた送信量以下になるまで順次実行することができる。バンドルされたＡＣＫ／ＮＡＣＫ情報は、ＡＣＫ／ＮＡＣＫ送信方式によって送信される。メモリ２２０は、プロセッサ２１０と接続され、プロセッサ２１０を駆動するための多様な情報を記憶する。ＲＦ部２３０は、プロセッサ２１０と接続され、無線信号を送信及び／又は受信する。
【０２１２】
プロセッサ１１０、２１０は、特定用途集積回路（ＡＳＩＣ）、他のチップセット、論理回路及び／又はデータ処理装置を含むことができる。メモリ１２０、２２０は、ＲＯＭ、ＲＡＭ、フラッシュメモリ、メモリカード、記憶媒体及び／又は他の記憶装置を含むことができる。ＲＦ部１３０、２３０は、無線信号を処理するためのベースバンド回路を含むことができる。実施例がソフトウェアで具現されるとき、前述した方式は、前述した機能を遂行するモジュール（過程、機能など）で具現することができる。モジュールは、メモリ１２０、２２０に記憶され、プロセッサ１１０、２１０によって実行することができる。メモリ１２０、２２０は、プロセッサ１１０、２１０の内部又は外部にあり、よく知られた多様な手段によってプロセッサ１１０、２１０と接続することができる。前述した例示的なシステムにおいて、方法は、一連のステップ又はブロックで順序図に基づいて説明されているが、本発明はステップの順序に限定されるものではなく、あるステップは前述と異なるステップと異なる順序に又は同時に発生することができる。また、当業者であれば、順序図に示すステップが排他的でなく、他のステップが含まれ、又は順序図の一つ又はそれ以上のステップが本発明の範囲に影響を及ぼさずに削除可能であることを理解することができるであろう。
【０２１３】
前述した実施例は、多様な態様の例示を含む。多様な態様を示すためのすべての可能な組合せを記述することはできないが、該当技術分野の通常の知識を有する者は、他の組合せが可能であることを認識することができるであろう。したがって、本発明は、特許請求の範囲内に属するすべての交替、修正及び変更を含むものとする。
【図１】
2013542638.tif 000010
【図２】
2013542638.tif 000011
【図３】
2013542638.tif 000012
【図４】
2013542638.tif 000013
【図５】
2013542638.tif 000014
【図６】
2013542638.tif 000015
【図７】
2013542638.tif 000016
【図８】
2013542638.tif 000017
【図９】
2013542638.tif 000018
【図１０】
2013542638.tif 000019
【図１１】
2013542638.tif 000020
【図１２】
2013542638.tif 000021
【図１３】
2013542638.tif 000022
【図１４】
2013542638.tif 000023
【図１５】
2013542638.tif 000024
【図１６】
2013542638.tif 000025
【図１７】
2013542638.tif 000026
【図１８】
2013542638.tif 000027
【図１９】
2013542638.tif 000028
【図２０】
2013542638.tif 000029
【図２１】
2013542638.tif 000030
【国際調査報告】
2013542638.tif 000031
2013542638.tif 000032
2013542638.tif 000033
2013542638.tif 000034